(57)【要約】【課題】他の装置にローカル接続されたデバイスへの接続を要求する装置と、当該接続要求されるデバイスとの相互接続を実現する。【解決手段】移動通信端末１０Ａはデバイス１０１等とローカル接続を確立する手段を備え、移動通信システム２は、上記デバイス１０１等を登録する情報登録手段２Ａと、利用者情報、移動通信端末の情報、デバイスの情報、契約サービス情報、ホームＧＷ装置の情報等を保持するＤＢ保持手段２Ｂと、デバイスで利用するサービスを設定するインタフェースやＤＢ保持手段２Ｂに登録された情報を反映して利用可能なサービスを表示し起動操作可能とするＩ／Ｆ提供手段２Ｃと、上記デバイスに操作信号を送出する信号送出手段２Ｄと、外部通信装置からデバイス宛の操作信号を当該デバイスに転送する信号転送手段２Ｅとを備え、外部通信装置又はホームＧＷ装置とデバイスとの間で操作信号の相互通信を実現する。【選択図】  図１
2004304623.tif 000002
【特許請求の範囲】
【請求項１】
他の装置にローカル接続されたデバイスへの接続を要求する要求元装置と当該接続要求されるデバイスとの間で信号の送受信を行う際に相互接続を実現するデバイス相互接続装置であって、
少なくとも要求元装置の識別情報、接続されるデバイスの識別情報及び要求元装置にて利用可能なサービス種別情報を含むデバイスに関する利用情報をデバイス所有の利用者毎に保持したＤＢ保持手段と、
要求元装置から、当該要求元装置の識別情報、接続される目的のデバイスの識別情報及び要求されるサービス種別情報を含む目的のデバイス宛の要求信号を受信する受信手段と、
当該要求信号に含まれた要求元装置の識別情報、目的のデバイスの識別情報及びサービス種別情報が前記ＤＢ保持手段に登録されているか否かを判断する判断手段と、
前記判断結果に基づいて、当該目的のデバイスがローカル接続された他の装置へ向けて当該要求信号を転送する信号転送手段と、
を備えたデバイス相互接続装置。
【請求項２】
前記判断手段による判断結果に基づいて、前記要求元装置からの操作により目的のデバイスに関する利用情報を前記ＤＢ保持手段に登録するためのインタフェースを当該要求元装置に提供するインタフェース提供手段と、
提供されたインタフェースによって入力された目的のデバイスに関する利用情報を、前記ＤＢ保持手段における当該デバイス所有の利用者の情報領域に登録する情報登録手段と、
をさらに備えた請求項１記載のデバイス相互接続装置。
【請求項３】
前記情報登録手段は、
新規デバイスの識別情報が入力された場合、前記ＤＢ保持手段における当該新規デバイス所有の利用者の情報領域に当該新規デバイスの識別情報を登録するとともに、当該新規デバイスに対しサービス提供を行う外部通信装置に当該新規デバイスで利用可能なサービス種別に関する情報を問い合わせ、
当該利用者の契約サービス情報の中に、前記問合せにより得られた利用可能なサービス種別に該当するものが存在した場合、前記ＤＢ保持手段において当該新規デバイスの識別情報に、該当するサービス種別情報を関連付けて保持する、
ことを特徴とする請求項２記載のデバイス相互接続装置。
【請求項４】
前記インタフェース提供手段は、
デバイスの識別情報が前記ＤＢ保持手段に登録済みのデバイスに関し、当該デバイスで利用するサービス種別情報、当該サービス種別について当該デバイスに対する操作を許容する利用者の識別情報、及び、当該デバイスと臨時の接続を許容する他の装置の識別情報を入力するためのインタフェースを要求元装置に提供し、
前記情報登録手段は、
入力された情報を前記ＤＢ保持手段に保持する、
ことを特徴とする請求項３記載のデバイス相互接続装置。
【請求項５】
デバイスの識別情報及び当該デバイスの製造元への新規ユーザ登録要求に対し、当該装置所有の利用者の個人情報と当該デバイスの識別情報とに基づいて、前記製造元への新規ユーザ登録に必要な登録情報を生成する登録情報生成手段と、
当該製造元にてユーザ登録を管理する外部通信装置に、当該生成した登録情報を送信する登録情報送信手段とをさらに備えた請求項１〜４の何れか１項に記載のデバイス相互接続装置。
【請求項６】
前記ＤＢ保持手段にて、ある利用者の情報領域にデバイスの識別情報毎に登録された、各デバイスで利用するサービス種別情報及び当該サービス種別について操作を許容する利用者識別情報に基づいて、当該利用者からサービス起動を行うためのサービス利用インタフェースを生成するサービス利用インタフェース生成手段をさらに備えた請求項１〜４の何れか１項に記載のデバイス相互接続装置。
【請求項７】
前記ＤＢ保持手段が、ローカル接続された家庭内のホームデバイスとともにホームネットワークを構築するとともに移動通信網に接続可能とされたホームＧＷ装置又は当該ホームＧＷ装置にローカル接続されたホームデバイスを、目的のデバイスとして、当該目的のデバイスに関する利用情報を保持したことに応じ、当該ホームＧＷ装置所有の利用者のサービス利用インタフェース上に当該ホームＧＷ装置へのリンクメニューを提供するメニュー提供手段と、
当該利用者の移動通信端末又は当該移動通信端末にローカル接続されたデバイスからの前記リンクメニューの選択により、当該移動通信端末又は当該デバイスと前記ホームＧＷ装置との接続を確立する接続制御手段と、
をさらに備えた請求項１〜４の何れか１項に記載のデバイス相互接続装置。
【請求項８】
当該移動通信端末又は当該デバイスと前記ホームＧＷ装置との接続を確立した後、当該移動通信端末又は当該デバイスから前記ホームＧＷ装置又は前記ホームデバイスのサービス起動を行うためのサービス利用インタフェースの、当該ホームＧＷ装置による提供の有無に応じて、当該ＤＢ保持手段における当該ホームＧＷ装置所有の利用者の情報領域に保持された当該ホームＧＷ装置及び当該ホームデバイスに関する情報に基づいて、前記サービス利用インタフェースを生成するサービス利用インタフェース生成手段をさらに備え、
前記移動通信端末又は前記デバイスから当該サービス提供インタフェースを操作することにより、前記ホームＧＷ装置又は前記ホームデバイスのサービス起動を行うことを特徴とする請求項７記載のデバイス相互接続装置。
【請求項９】
前記ＤＢ保持手段が、ローカル接続された家庭内のホームデバイスとともにホームネットワークを構築するとともに移動通信網に接続可能とされたホームＧＷ装置又は当該ホームＧＷ装置にローカル接続されたホームデバイスを、目的のデバイスとして、当該目的のデバイスに関する利用情報を保持し、且つ、ホームＧＷ装置又は当該ホームＧＷ装置にローカル接続されたホームデバイスから前記ＤＢ保持手段にアクセスしたことに応じ、当該ＤＢ保持手段における当該ホームＧＷ装置所有の利用者の情報領域に保持された、移動通信端末及び当該移動通信端末にローカル接続されたデバイスに関する情報に基づいて、当該ホームＧＷ装置又は当該ホームデバイスからサービス起動を行うためのサービス利用インタフェースを生成するサービス利用インタフェース生成手段と、
前記ホームＧＷ装置又は前記ホームデバイスから当該サービス提供インタフェースを操作することにより、前記ホームＧＷ装置又は前記ホームデバイスと、前記移動通信端末又は前記デバイスとの接続を確立する接続制御手段と、
をさらに備えた請求項１〜４の何れか１項に記載のデバイス相互接続装置。
【請求項１０】
他の装置にローカル接続されたデバイスへの接続を要求する要求元装置と当該接続要求されるデバイスとの間で信号の送受信を行う際の相互接続を制御し、少なくとも要求元装置の識別情報、接続されるデバイスの識別情報及び要求元装置にて利用可能なサービス種別情報を含むデバイスに関する利用情報をデバイス所有の利用者毎に保持したＤＢ保持手段を備えたデバイス相互接続装置、における相互接続方法であって、
要求元装置から、当該要求元装置の識別情報、接続される目的のデバイスの識別情報及び要求されるサービス種別情報を含む目的のデバイス宛の要求信号を受信し、
前記要求信号を受信した場合に、当該要求信号に含まれた要求元装置の識別情報、目的のデバイスの識別情報及びサービス種別情報が前記ＤＢ保持手段に登録されているか否かを判断し、
当該要求元装置の識別情報、目的のデバイスの識別情報及びサービス種別情報が前記ＤＢ保持手段に登録されている場合、当該目的のデバイスがローカル接続された他の装置へ向けて当該要求信号を転送する、
ことを特徴とする相互接続方法。
【請求項１１】
デバイスの識別情報及び当該デバイスの製造元への新規ユーザ登録要求をある装置から受信した場合、当該装置所有の利用者の個人情報と当該デバイスの識別情報とに基づいて、前記製造元への新規ユーザ登録に必要な登録情報を生成し、
当該製造元にてユーザ登録を管理する外部通信装置に、当該生成した登録情報を送信する、
ことを特徴とする請求項１０記載の相互接続方法。
【請求項１２】
デバイス相互接続装置は、
前記ＤＢ保持手段に、移動通信端末にローカル接続されたデバイスについてサービス種別毎に当該デバイスに対する操作を許容する相手装置の情報として、当該デバイス所有者以外の第三者の移動通信端末を登録した場合、当該登録に連携して、当該ＤＢ保持手段における当該第三者の情報領域に、当該サービス種別について当該デバイスに対する操作を許容する旨の情報を登録し、
前記第三者の移動通信端末から前記デバイスに対する操作を可能とするべく、当該第三者の移動通信端末に、当該デバイスに対する操作メニューを提供する、
ことを特徴とする請求項１０又は１１に記載の相互接続方法。
【請求項１３】
デバイス相互接続装置は、
前記ＤＢ保持手段に、移動通信端末にローカル接続されたデバイスについて、当該デバイスを臨時にローカル接続することを許容する相手装置の情報として当該デバイス所有者以外の第三者の移動通信端末を登録し、当該デバイスによる利用が許容されたサービス種別を登録した場合、当該登録に連携して、当該ＤＢ保持手段における当該第三者の情報領域に、当該デバイスを臨時にローカル接続することを許容する旨の情報と当該デバイスで利用可能なサービス種別情報とを登録し、
前記第三者の移動通信端末から前記デバイスに対する操作を可能とするべく、当該第三者の移動通信端末に、当該デバイス及び当該サービス種別に関する操作メニューを提供し、
当該第三者の移動通信端末から当該操作メニューを介して、臨時にローカル接続したいデバイスの識別情報を受信した場合、当該デバイスの識別情報が前記ＤＢ保持手段における当該第三者の情報領域に予め登録されていた場合、当該第三者の移動通信端末へ、当該デバイスを臨時にローカル接続することを許可する旨及び利用許容されているサービス種別情報を通知する、
ことを特徴とする請求項１０又は１１に記載の相互接続方法。
【請求項１４】
臨時のローカル接続を許容する相手装置の情報として、全ての移動通信端末を設定することが可能とされたことを特徴とする請求項１３記載の相互接続方法。
【請求項１５】
移動通信網に接続する移動通信手段とローカルネットワークに接続するローカル通信手段とを備え、移動通信網とローカルネットワークとの間で信号の双方向転送を行う移動通信端末と、
他の移動通信端末にローカル接続されたデバイスへの接続を要求する要求元の移動通信端末と当該接続要求されるデバイスとの間で信号の送受信を行う際に相互接続を実現するデバイス相互接続装置とを含んで構成された通信システムであって、
前記デバイス相互接続装置が、
少なくとも要求元の移動通信端末の識別情報、接続されるデバイスの識別情報及び要求元の移動通信端末にて利用可能なサービス種別情報を含むデバイスに関する利用情報をデバイス所有の利用者毎に保持したＤＢ保持手段と、
要求元の移動通信端末から、当該要求元の移動通信端末の識別情報、接続される目的のデバイスの識別情報及び要求されるサービス種別情報を含む目的のデバイス宛の要求信号を受信する受信手段と、
当該要求信号に含まれた要求元の移動通信端末の識別情報、目的のデバイスの識別情報及びサービス種別情報が前記ＤＢ保持手段に登録されているか否かを判断する判断手段と、
前記判断結果に基づいて、当該目的のデバイスがローカル接続された他の装置へ向けて当該要求信号を転送する信号転送手段とを備えた、
ことを特徴とする通信システム。
【請求項１６】
前記通信システムは、デバイスの製造元にてユーザ登録を管理する外部通信装置を更に含んで構成され、
前記デバイス相互接続装置が、
デバイスの識別情報及び当該デバイスの製造元への新規ユーザ登録要求に対し、当該装置所有の利用者の個人情報と当該デバイスの識別情報とに基づいて、前記製造元への新規ユーザ登録に必要な登録情報を生成する登録情報生成手段と、
当該製造元の外部通信装置に、当該生成した登録情報を送信する登録情報送信手段とをさらに備え、
当該外部通信装置が、
デバイス相互接続装置から登録情報を受信する登録情報受信手段と、
受信した登録情報に基づいて新規ユーザ登録を行うユーザ登録手段とを備えた、
ことを特徴とする請求項１５記載の通信システム。
【請求項１７】
移動通信網に接続する移動通信手段とローカルネットワークに接続するローカル通信手段とを備え、移動通信網とローカルネットワークとの間で信号の双方向転送を行う移動通信端末と、
他の移動通信端末にローカル接続されたデバイスへの接続を要求する要求元の移動通信端末と当該接続要求されるデバイスとの間で信号の送受信を行う際に相互接続を実現するとともに、少なくとも要求元の移動通信端末の識別情報、接続されるデバイスの識別情報及び要求元の移動通信端末にて利用可能なサービス種別情報を含むデバイスに関する利用情報をデバイス所有の利用者毎に保持したＤＢ保持手段を備えたデバイス相互接続装置とを、含んで構成された通信システムにおける通信制御方法であって、
前記デバイス相互接続装置のＤＢ保持手段に、ローカル接続された家庭内のホームデバイスとともにホームネットワークを構築するとともに移動通信網に接続可能とされたホームＧＷ装置又は当該ホームＧＷ装置にローカル接続されたホームデバイスの識別情報が、目的のデバイスに関する利用情報として保持された場合、当該ホームＧＷ装置所有の利用者のサービス利用インタフェース上に当該ホームＧＷ装置へのリンクメニューが提供され、
当該利用者の移動通信端末又は当該移動通信端末にローカル接続されたデバイスから、前記リンクメニューが選択された場合、当該移動通信端末又は当該デバイスと前記ホームＧＷ装置との接続が確立される、
ことを特徴とする通信制御方法。
【請求項１８】
移動通信網に接続する移動通信手段とローカルネットワークに接続するローカル通信手段とを備え、移動通信網とローカルネットワークとの間で信号の双方向転送を行う移動通信端末と、
他の移動通信端末にローカル接続されたデバイスへの接続を要求する要求元の移動通信端末と当該接続要求されるデバイスとの間で信号の送受信を行う際に相互接続を実現するとともに、少なくとも要求元の移動通信端末の識別情報、接続されるデバイスの識別情報及び要求元の移動通信端末にて利用可能なサービス種別情報を含むデバイスに関する利用情報をデバイス所有の利用者毎に保持したＤＢ保持手段を備えたデバイス相互接続装置とを、含んで構成された通信システムにおける通信制御方法であって、
前記デバイス相互接続装置のＤＢ保持手段に、ローカル接続された家庭内のホームデバイスとともにホームネットワークを構築するとともに移動通信網に接続可能とされたホームＧＷ装置又は当該ホームＧＷ装置にローカル接続されたホームデバイスの識別情報が、目的のデバイスに関する利用情報として保持され、且つ、ホームＧＷ装置又は当該ホームＧＷ装置にローカル接続されたホームデバイスから前記ＤＢ保持手段にアクセスが行われた場合、
当該ＤＢ保持手段における当該ホームＧＷ装置所有の利用者の情報領域に保持された、移動通信端末及び当該移動通信端末にローカル接続されたデバイスに関する情報に基づいて、当該ホームＧＷ装置又は当該ホームデバイスからサービス起動を行うためのサービス利用インタフェースが生成され、
前記ホームＧＷ装置又は前記ホームデバイスから当該サービス提供インタフェースが操作されることにより、前記ホームＧＷ装置又は前記ホームデバイスと、前記移動通信端末又は前記デバイスとの接続が確立される、
ことを特徴とする通信制御方法。
【請求項１９】
前記ＤＢ保持手段に、ホームＧＷ装置所有の利用者の情報領域における当該ホームＧＷ装置に関する情報として、当該ホームＧＷ装置へのアクセスを許容する第三者の移動通信端末に関する情報が設定された場合、当該ＤＢ保持手段における当該第三者の移動通信端末の情報領域に、前記ホームＧＷ装置へのアクセスが許容された旨の情報が登録され、
当該第三者の移動通信端末又は当該第三者の移動通信端末にローカル接続されたデバイスから前記ＤＢ保持手段へアクセスが行われた場合、当該第三者の移動通信端末又は当該第三者の移動通信端末にローカル接続されたデバイスに、当該ホームＧＷ装置へのリンクメニューが表示され、
表示されたリンクメニューが選択されることにより、当該第三者の移動通信端末又は当該第三者の移動通信端末にローカル接続されたデバイスと前記ホームＧＷ装置との間で、接続が確立される、
ことを特徴とする請求項１７又は１８に記載の通信制御方法。
【請求項２０】
前記ＤＢ保持手段に、移動通信端末にローカル接続されたデバイスに関し、サービス種別毎に当該デバイスに対する操作を許容する相手装置として前記ホームＧＷ装置が設定された場合、当該ＤＢ保持手段における当該ホームＧＷ装置の情報領域に、当該サービス種別において当該移動通信端末にローカル接続されたデバイスに対する操作が許容された旨の情報が登録され、
当該ホームＧＷ装置又は当該ホームＧＷ装置に接続されたホームデバイスから前記ＤＢ保持手段へアクセスが行われた場合、当該ホームＧＷ装置又は当該ホームデバイスに、当該移動通信端末にローカル接続されたデバイスに関する操作メニューが表示され、
表示された操作メニューが選択されることにより、当該移動通信端末にローカル接続されたデバイスに対する操作が行われる、
ことを特徴とする請求項１７又は１８に記載の通信制御方法。
【請求項２１】
前記ＤＢ保持手段は、ホームＧＷ装置にローカル接続されたホームデバイスのデバイス識別情報と、当該ホームデバイスと臨時のローカル接続を許容する第三者の移動通信端末の識別情報と、臨時にローカル接続を確立した際に当該ホームデバイスで利用するサービス種別情報とを設定するための設定インタフェースを提供し、利用者により設定された情報を当該ＤＢ保持手段に保持し、
当該ホームデバイスとのローカル接続が許容された第三者の移動通信端末の情報領域に、当該ホームデバイスへの臨時のローカル接続が許容された旨の情報と、当該ホームデバイスで利用できるサービス種別情報とが登録され、
当該第三者の移動通信端末に、当該ホームデバイス及び当該サービス種別に関する操作メニューが表示され、
当該第三者の移動通信端末から、臨時のローカル接続が要求されるホームデバイスの識別情報がデバイス相互接続装置に通知され、
当該ホームデバイスの識別情報が、ＤＢ保持手段における当該第三者の移動通信端末の情報領域に予め登録されていた場合、デバイス相互接続装置は当該第三者の移動通信端末へ、当該ホームデバイスを臨時にローカル接続することを許可する旨及び利用することが許容されているサービス種別情報を通知し、
当該通知を受信した第三者の移動通信端末は、当該ホームデバイスとの接続を確立するとともに、前記ＤＢ保持手段からの前記操作メニューを表示し、
表示された操作メニューが選択されることにより、第三者の移動通信端末は当該ホームデバイスと臨時にローカル接続を行う、
ことを特徴とする請求項１７〜２０の何れか１項に記載の通信制御方法。
【請求項２２】
移動通信網に接続する移動通信手段とローカルネットワークに接続するローカル通信手段とを備え、移動通信網とローカルネットワークとの間で信号の双方向転送を行う移動通信端末であって、
個々のデバイスにユニークに付与されたデバイス識別情報を読み取る識別情報読取手段と、
自端末の周辺へのポーリングによる自端末と通信可能なデバイスの検知結果に基づいて、前記識別情報読取手段によって当該デバイスのデバイス識別情報を読み取らせる検知時制御手段と、
自端末との間でローカル接続を確立しているデバイスのデバイス識別情報を記憶することで、当該ローカル接続中のデバイスを管理するデバイス管理手段と、
を備えた移動通信端末。
【請求項２３】
自端末とデバイスとの接続状態及びデバイスの運転状態を検知する状態検知手段をさらに備え、
前記デバイス管理手段は、
ローカル接続されていたデバイスとの接続の切断検知結果に基づいて、記憶されている当該デバイスのデバイス識別情報を消去する、
ことを特徴とする請求項２２記載の移動通信端末。
【請求項２４】
外部からの、自端末にローカル接続されたデバイスに対する操作信号に基づいて、当該操作信号の宛先である目的デバイスを判別するデバイス判別手段と、
自端末が当該目的デバイスと通信可能であるか否かに基づいて、当該操作信号を当該目的デバイスへ転送するとともに目的デバイスへの操作信号の転送結果を外部へ返信する転送制御手段と、
をさらに備えた請求項２２又は２３に記載の移動通信端末。
【請求項２５】
外部からの、デバイスに関する状態情報要求信号に基づいて、当該状態情報要求信号の対象であるデバイスを判別するデバイス判別手段と、
外部からの要求に応じて、前記状態検知手段により、対象のデバイスとの接続状態情報及び当該デバイスの運転状態情報を、当該デバイスの状態情報として取得する取得制御手段と、
取得されたデバイスの状態情報を外部へ返信する情報返信手段と、
をさらに備えた請求項２２〜２４の何れか１項に記載の移動通信端末。
【請求項２６】
移動通信網に接続する移動通信手段と、ローカルネットワークに接続するローカル通信手段と、個々のデバイスにユニークに付与されたデバイス識別情報を読み取る識別情報読取手段とを備え、移動通信網とローカルネットワークとの間で信号の双方向転送を行う移動通信端末における端末制御方法であって、
自端末の周辺にポーリングを行いデバイスを検知した場合、識別情報読取手段が当該デバイスのデバイス識別情報を読み取り、
当該デバイスへの当該移動通信端末の接続可否に関する情報を保持したデバイス相互接続装置に対し、当該デバイス識別情報を通知し、
当該デバイスと接続可能である旨の通知を前記デバイス相互接続装置から受けた場合、当該デバイスとの接続を確立する、
ことを特徴とする端末制御方法。
【発明の詳細な説明】
【０００１】
【発明の属する技術分野】
本発明は、市場に出て他の装置にローカル接続されたデバイスへの接続を要求する要求元装置と、当該接続要求されるデバイスとの相互接続の実現を図るデバイス相互接続装置、相互接続方法、通信システム、通信制御方法、移動通信端末及び端末制御方法に関する。
【０００２】
【従来の技術】
現在、利用者が電気製品デバイスを購入した場合、ハガキの郵送やＷｅｂフォーム上でのデータ入力等の手段によって、デバイス製造元への当該デバイスに関するユーザ登録を行っている。
【０００３】
また、デバイス製造元によるデバイスの管理については、当該デバイスが販売店等の在庫として残っている間は、当該販売店等の協力の下で、当該デバイスの状態を把握・管理することが可能である。
【０００４】
一方、近年、ホームネットワーク技術が注目を集めているが、現在のホームネットワークのネットワーク範囲は原則として自宅内に閉じており、例外的に、インターネットに接続された情報機器（ＰＤＡ、ノート型パーソナルコンピュータ等）や移動通信端末からのみ、自宅外から自宅内のホームＧＷ装置にアクセスして、自宅内のホームデバイスを操作することが可能となっている。この基盤となる異種ネットワーク間における双方向データ通信ネットワークに関する技術の一例が、例えば下記の特許文献１に開示されている。
【０００５】
【特許文献１】
特開２０００−２３１５３０号公報
【０００６】
【発明が解決しようとする課題】
しかし、上述した従来技術には、以下のような問題点がある。即ち、上記のデバイス製造元へのユーザ登録については、ハガキの郵送やＷｅｂフォーム上でのデータ入力といった作業は、利用者にとって非常に煩雑であるため、ユーザ登録自体を諦めてしまう利用者が多く、利用者とデバイス製造元の双方にとって不利益が生じていた。
【０００７】
また、デバイス製造元によるデバイスの管理については、現在のデバイスの販売市場はいわゆる「売り切り市場」であるため、いったん販売店等から利用者の手に渡ったデバイスについては、デバイス製造元は当該デバイスへのアクセス手段を喪失してしまう。このため、デバイス製造元は、当該デバイスの状態把握や当該デバイスへの随時のサービス提供等を行う手段を見出すことが出来ない。
【０００８】
更に、ホームネットワーク技術については、利用者が自宅外へ持ち出したホームデバイスに対しては、ホームＧＷ装置からアクセスすることができず、また、家族等の同居している者が所有するホームデバイスのみしか、ホームネットワークに参加することができないため、拡張性に非常に乏しかった。
【０００９】
本発明は、上記課題を解決するために成されたものであり、市場に出て他の装置にローカル接続されたデバイスへの接続を要求する要求元装置と、当該接続要求されるデバイスとの相互接続を実現することができるデバイス相互接続装置、相互接続方法、通信システム、通信制御方法、移動通信端末及び端末制御方法を提供することを目的とする。
【００１０】
【課題を解決するための手段】
上記目的を達成するために、本発明に係るデバイス相互接続装置は、請求項１に記載したように、他の装置にローカル接続されたデバイスへの接続を要求する要求元装置と当該接続要求されるデバイスとの間で信号の送受信を行う際に相互接続を実現するデバイス相互接続装置であって、少なくとも要求元装置の識別情報、接続されるデバイスの識別情報及び要求元装置にて利用可能なサービス種別情報を含むデバイスに関する利用情報をデバイス所有の利用者毎に保持したＤＢ保持手段と、要求元装置から、当該要求元装置の識別情報、接続される目的のデバイスの識別情報及び要求されるサービス種別情報を含む目的のデバイス宛の要求信号を受信する受信手段と、当該要求信号に含まれた要求元装置の識別情報、目的のデバイスの識別情報及びサービス種別情報が前記ＤＢ保持手段に登録されているか否かを判断する判断手段と、前記判断結果に基づいて、当該目的のデバイスがローカル接続された他の装置へ向けて当該要求信号を転送する信号転送手段とを備えたことを特徴とする。
【００１１】
上記デバイス相互接続装置は、少なくとも要求元装置の識別情報、接続されるデバイスの識別情報及び要求元装置にて利用可能なサービス種別情報を含むデバイスに関する利用情報をデバイス所有の利用者毎に保持したＤＢ保持手段を備えており、受信手段が、要求元装置から、当該要求元装置の識別情報、接続される目的のデバイスの識別情報及び要求されるサービス種別情報を含む目的のデバイス宛の要求信号を受信すると、判断手段が、当該要求信号に含まれた要求元装置の識別情報、目的のデバイスの識別情報及びサービス種別情報が前記ＤＢ保持手段に登録されているか否かを判断する。ここで、信号転送手段が、判断結果に基づいて、当該目的のデバイスがローカル接続された他の装置へ向けて当該要求信号を転送する。これにより、他の装置にローカル接続されたデバイスへの接続を要求する要求元装置と当該接続要求されるデバイスとの間で信号の送受信を行う際に相互接続を実現することができる。即ち、市場に出て他の装置にローカル接続されたデバイスへの接続を要求する要求元装置と、当該接続要求されるデバイスとの相互接続を実現することができる。
【００１２】
上記デバイス相互接続装置では、以下のような構成態様を採用することが望ましい。即ち、デバイス相互接続装置は、請求項２に記載したように、前記判断手段による判断結果に基づいて、前記要求元装置からの操作により目的のデバイスに関する利用情報を前記ＤＢ保持手段に登録するためのインタフェースを当該要求元装置に提供するインタフェース提供手段と、提供されたインタフェースによって入力された目的のデバイスに関する利用情報を、前記ＤＢ保持手段における当該デバイス所有の利用者の情報領域に登録する情報登録手段とをさらに備えた構成とすることが望ましい。これにより、利用者は目的のデバイスに関する利用情報を入力し新規登録することができる。
【００１３】
また、請求項３に記載したように、情報登録手段は、新規デバイスの識別情報が入力された場合、前記ＤＢ保持手段における当該新規デバイス所有の利用者の情報領域に当該新規デバイスの識別情報を登録するとともに、当該新規デバイスに対しサービス提供を行う外部通信装置に当該新規デバイスで利用可能なサービス種別に関する情報を問い合わせ、当該利用者の契約サービス情報の中に、前記問合せにより得られた利用可能なサービス種別に該当するものが存在した場合、前記ＤＢ保持手段において当該新規デバイスの識別情報に、該当するサービス種別情報を関連付けて保持する構成とすることが望ましい。これにより、ＤＢ保持手段にて新規デバイスの識別情報と該当するサービス種別情報とを関連付けて保持でき、データの整合性を保持することができる。
【００１４】
また、請求項４に記載したように、インタフェース提供手段は、デバイスの識別情報が前記ＤＢ保持手段に登録済みのデバイスに関し、当該デバイスで利用するサービス種別情報、当該サービス種別について当該デバイスに対する操作を許容する利用者の識別情報、及び、当該デバイスと臨時の接続を許容する他の装置の識別情報を入力するためのインタフェースを要求元装置に提供し、情報登録手段は、入力された情報を前記ＤＢ保持手段に保持する構成とすることが望ましい。これにより、移動通信端末にローカル接続されたデバイスに対する遠隔操作を許容する相手を、当該移動通信端末の利用者が設定することが可能となる。
【００１５】
ユーザ登録の改善の点では、請求項５に記載したように、デバイス相互接続装置は、デバイスの識別情報及び当該デバイスの製造元への新規ユーザ登録要求に対し、当該装置所有の利用者の個人情報と当該デバイスの識別情報とに基づいて、前記製造元への新規ユーザ登録に必要な登録情報を生成する登録情報生成手段と、当該製造元にてユーザ登録を管理する外部通信装置に、当該生成した登録情報を送信する登録情報送信手段とをさらに備えた構成とすることが望ましい。これにより、移動通信事業者が保有している移動通信端末の契約情報の一部である当該契約者の個人情報と、当該契約者がＤＢ保持手段に登録したデバイスＩＤに関する情報とを結び付け、その情報を当該デバイスの製造元へ通知することにより、当該デバイスの製造元へのユーザ登録を自動化し、簡便化することができる。
【００１６】
また、デバイス相互接続装置は、請求項６に記載したように、ＤＢ保持手段にて、ある利用者の情報領域にデバイスの識別情報毎に登録された、各デバイスで利用するサービス種別情報及び当該サービス種別について操作を許容する利用者識別情報に基づいて、当該利用者からサービス起動を行うためのサービス利用インタフェースを生成するサービス利用インタフェース生成手段をさらに備えた構成とすることが望ましい。これにより、利用者からサービス起動を行うことが可能となる。
【００１７】
ホームネットワークとの連携の改善として、デバイス相互接続装置は、請求項７に記載したように、ＤＢ保持手段が、ローカル接続された家庭内のホームデバイスとともにホームネットワークを構築するとともに移動通信網に接続可能とされたホームＧＷ装置又は当該ホームＧＷ装置にローカル接続されたホームデバイスを、目的のデバイスとして、当該目的のデバイスに関する利用情報を保持したことに応じ、当該ホームＧＷ装置所有の利用者のサービス利用インタフェース上に当該ホームＧＷ装置へのリンクメニューを提供するメニュー提供手段と、当該利用者の移動通信端末又は当該移動通信端末にローカル接続されたデバイスからの前記リンクメニューの選択により、当該移動通信端末又は当該デバイスと前記ホームＧＷ装置との接続を確立する接続制御手段とをさらに備えた構成とすることが望ましい。
【００１８】
このとき、請求項８に記載したように、デバイス相互接続装置は、当該移動通信端末又は当該デバイスと前記ホームＧＷ装置との接続を確立した後、当該移動通信端末又は当該デバイスから前記ホームＧＷ装置又は前記ホームデバイスのサービス起動を行うためのサービス利用インタフェースの、当該ホームＧＷ装置による提供の有無に応じて、当該ＤＢ保持手段における当該ホームＧＷ装置所有の利用者の情報領域に保持された当該ホームＧＷ装置及び当該ホームデバイスに関する情報に基づいて、前記サービス利用インタフェースを生成するサービス利用インタフェース生成手段をさらに備え、前記移動通信端末又は前記デバイスから当該サービス提供インタフェースを操作することにより、前記ホームＧＷ装置又は前記ホームデバイスのサービス起動を行う構成とすることが望ましい。
【００１９】
これにより、当該移動通信端末又は当該デバイスからホームＧＷ装置又はホームデバイスのサービス起動を行うためのサービス利用インタフェースの、当該ホームＧＷ装置による提供の有無に応じて（例えば、当該ホームＧＷ装置により提供されない場合であっても）、ＤＢ保持手段における当該ホームＧＷ装置所有の利用者の情報領域に保持された当該ホームＧＷ装置及び当該ホームデバイスに関する情報に基づいて、上記サービス利用インタフェースが生成されるため、移動通信端末又はデバイスから当該サービス提供インタフェースを操作することにより、ホームＧＷ装置又はホームデバイスのサービス起動を実現することができる。
【００２０】
また、デバイス相互接続装置は、請求項９に記載したように、ＤＢ保持手段が、ローカル接続された家庭内のホームデバイスとともにホームネットワークを構築するとともに移動通信網に接続可能とされたホームＧＷ装置又は当該ホームＧＷ装置にローカル接続されたホームデバイスを、目的のデバイスとして、当該目的のデバイスに関する利用情報を保持し、且つ、ホームＧＷ装置又は当該ホームＧＷ装置にローカル接続されたホームデバイスから前記ＤＢ保持手段にアクセスしたことに応じ、当該ＤＢ保持手段における当該ホームＧＷ装置所有の利用者の情報領域に保持された、移動通信端末及び当該移動通信端末にローカル接続されたデバイスに関する情報に基づいて、当該ホームＧＷ装置又は当該ホームデバイスからサービス起動を行うためのサービス利用インタフェースを生成するサービス利用インタフェース生成手段と、ホームＧＷ装置又は前記ホームデバイスから当該サービス提供インタフェースを操作することにより、前記ホームＧＷ装置又は前記ホームデバイスと、前記移動通信端末又は前記デバイスとの接続を確立する接続制御手段とをさらに備えた構成とすることが望ましい。
【００２１】
これにより、本来であれば自宅内に閉じていたホームネットワークを、自宅内に存在するホームＧＷ装置と、自宅外に存在する移動通信端末とを結び付けることにより、自宅外の移動通信端末から自宅内のホームＧＷ装置を操作し、また、自宅内のホームＧＷ装置から自宅外の移動通信端末を操作し、ホームネットワークを自宅外まで拡張することができる。また、本来であれば自宅内に存在する利用者しか利用することができなかったホームネットワークを、自宅外に存在する第三者からも操作可能となる。
【００２２】
本発明に係る相互接続方法は、請求項１０に記載したように、他の装置にローカル接続されたデバイスへの接続を要求する要求元装置と当該接続要求されるデバイスとの間で信号の送受信を行う際の相互接続を制御し、少なくとも要求元装置の識別情報、接続されるデバイスの識別情報及び要求元装置にて利用可能なサービス種別情報を含むデバイスに関する利用情報をデバイス所有の利用者毎に保持したＤＢ保持手段を備えたデバイス相互接続装置、における相互接続方法であって、要求元装置から、当該要求元装置の識別情報、接続される目的のデバイスの識別情報及び要求されるサービス種別情報を含む目的のデバイス宛の要求信号を受信し、前記要求信号を受信した場合に、当該要求信号に含まれた要求元装置の識別情報、目的のデバイスの識別情報及びサービス種別情報が前記ＤＢ保持手段に登録されているか否かを判断し、当該要求元装置の識別情報、目的のデバイスの識別情報及びサービス種別情報が前記ＤＢ保持手段に登録されている場合、当該目的のデバイスがローカル接続された他の装置へ向けて当該要求信号を転送することを特徴とする。
【００２３】
これにより、他の装置にローカル接続されたデバイスへの接続を要求する要求元装置と当該接続要求されるデバイスとの間で信号の送受信を行う際に相互接続を実現することができる。即ち、市場に出て他の装置にローカル接続されたデバイスへの接続を要求する要求元装置と、当該接続要求されるデバイスとの相互接続を実現することができる。
【００２４】
上記相互接続方法では、請求項１１に記載したように、デバイスの識別情報及び当該デバイスの製造元への新規ユーザ登録要求をある装置から受信した場合には、当該装置所有の利用者の個人情報と当該デバイスの識別情報とに基づいて、前記製造元への新規ユーザ登録に必要な登録情報を生成し、当該製造元にてユーザ登録を管理する外部通信装置に、当該生成した登録情報を送信することが望ましい。これにより、請求項５記載の発明と同様に、移動通信事業者が保有している移動通信端末の契約情報の一部である当該契約者の個人情報と、当該契約者がＤＢ保持手段に登録したデバイスＩＤに関する情報とを結び付け、その情報を当該デバイスの製造元へ通知することにより、当該デバイスの製造元へのユーザ登録を自動化し、簡便化することができる。
【００２５】
また、本発明に係る相互接続方法では、請求項１２に記載したように、デバイス相互接続装置は、ＤＢ保持手段に、移動通信端末にローカル接続されたデバイスについてサービス種別毎に当該デバイスに対する操作を許容する相手装置の情報として、当該デバイス所有者以外の第三者の移動通信端末を登録した場合、当該登録に連携して、当該ＤＢ保持手段における当該第三者の情報領域に、当該サービス種別について当該デバイスに対する操作を許容する旨の情報を登録し、第三者の移動通信端末から前記デバイスに対する操作を可能とするべく、当該第三者の移動通信端末に、当該デバイスに対する操作メニューを提供することが望ましい。これにより、第三者の移動通信端末から他者のデバイスに対する操作が可能となる。
【００２６】
また、本発明に係る相互接続方法では、請求項１３に記載したように、デバイス相互接続装置は、ＤＢ保持手段に、移動通信端末にローカル接続されたデバイスについて、当該デバイスを臨時にローカル接続することを許容する相手装置の情報として当該デバイス所有者以外の第三者の移動通信端末を登録し、当該デバイスによる利用が許容されたサービス種別を登録した場合、当該登録に連携して、当該ＤＢ保持手段における当該第三者の情報領域に、当該デバイスを臨時にローカル接続することを許容する旨の情報と当該デバイスで利用可能なサービス種別情報とを登録し、第三者の移動通信端末から前記デバイスに対する操作を可能とするべく、当該第三者の移動通信端末に、当該デバイス及び当該サービス種別に関する操作メニューを提供し、当該第三者の移動通信端末から当該操作メニューを介して、臨時にローカル接続したいデバイスの識別情報を受信した場合、当該デバイスの識別情報が前記ＤＢ保持手段における当該第三者の情報領域に予め登録されていた場合、当該第三者の移動通信端末へ、当該デバイスを臨時にローカル接続することを許可する旨及び利用許容されているサービス種別情報を通知することが望ましい。これにより、第三者の移動通信端末から他者のデバイスへ臨時にローカル接続した上で、当該デバイスに対する操作が可能となる。なお、このとき、請求項１４に記載したように、臨時のローカル接続を許容する相手装置の情報として、全ての移動通信端末を設定可能とすることが望ましい。
【００２７】
ところで、上記請求項１記載の発明は、以下の通信システムの発明として記載することができる。即ち、本発明に係る通信システムは、請求項１５に記載したように、移動通信網に接続する移動通信手段とローカルネットワークに接続するローカル通信手段とを備え、移動通信網とローカルネットワークとの間で信号の双方向転送を行う移動通信端末と、他の移動通信端末にローカル接続されたデバイスへの接続を要求する要求元の移動通信端末と当該接続要求されるデバイスとの間で信号の送受信を行う際に相互接続を実現するデバイス相互接続装置とを含んで構成された通信システムであって、前記デバイス相互接続装置が、少なくとも要求元の移動通信端末の識別情報、接続されるデバイスの識別情報及び要求元の移動通信端末にて利用可能なサービス種別情報を含むデバイスに関する利用情報をデバイス所有の利用者毎に保持したＤＢ保持手段と、要求元の移動通信端末から、当該要求元の移動通信端末の識別情報、接続される目的のデバイスの識別情報及び要求されるサービス種別情報を含む目的のデバイス宛の要求信号を受信する受信手段と、当該要求信号に含まれた要求元の移動通信端末の識別情報、目的のデバイスの識別情報及びサービス種別情報が前記ＤＢ保持手段に登録されているか否かを判断する判断手段と、前記判断結果に基づいて、当該目的のデバイスがローカル接続された他の装置へ向けて当該要求信号を転送する信号転送手段とを備えたことを特徴とする。
【００２８】
また、上記請求項５記載の発明は、以下の通信システムの発明として記載することができる。即ち、本発明に係る通信システムでは、請求項１６に記載したように、前記通信システムは、デバイスの製造元にてユーザ登録を管理する外部通信装置を更に含んで構成され、前記デバイス相互接続装置が、デバイスの識別情報及び当該デバイスの製造元への新規ユーザ登録要求に対し、当該装置所有の利用者の個人情報と当該デバイスの識別情報とに基づいて、前記製造元への新規ユーザ登録に必要な登録情報を生成する登録情報生成手段と、当該製造元の外部通信装置に、当該生成した登録情報を送信する登録情報送信手段とをさらに備え、当該外部通信装置が、デバイス相互接続装置から登録情報を受信する登録情報受信手段と、受信した登録情報に基づいて新規ユーザ登録を行うユーザ登録手段とを備えたことを特徴とする。
【００２９】
上記の通信システムにて実行される通信制御方法については、ホームネットワークとの連携を改善したいくつかの特徴ある方法発明として捉えることができる。
【００３０】
即ち、請求項１７に記載したように、本発明に係る通信制御方法は、移動通信網に接続する移動通信手段とローカルネットワークに接続するローカル通信手段とを備え、移動通信網とローカルネットワークとの間で信号の双方向転送を行う移動通信端末と、他の移動通信端末にローカル接続されたデバイスへの接続を要求する要求元の移動通信端末と当該接続要求されるデバイスとの間で信号の送受信を行う際に相互接続を実現するとともに、少なくとも要求元の移動通信端末の識別情報、接続されるデバイスの識別情報及び要求元の移動通信端末にて利用可能なサービス種別情報を含むデバイスに関する利用情報をデバイス所有の利用者毎に保持したＤＢ保持手段を備えたデバイス相互接続装置とを、含んで構成された通信システムにおける通信制御方法であって、前記デバイス相互接続装置のＤＢ保持手段に、ローカル接続された家庭内のホームデバイスとともにホームネットワークを構築するとともに移動通信網に接続可能とされたホームＧＷ装置又は当該ホームＧＷ装置にローカル接続されたホームデバイスの識別情報が、目的のデバイスに関する利用情報として保持された場合、当該ホームＧＷ装置所有の利用者のサービス利用インタフェース上に当該ホームＧＷ装置へのリンクメニューが提供され、当該利用者の移動通信端末又は当該移動通信端末にローカル接続されたデバイスから、前記リンクメニューが選択された場合、当該移動通信端末又は当該デバイスと前記ホームＧＷ装置との接続が確立されることを特徴とする。
【００３１】
また、請求項１８に記載したように、本発明に係る通信制御方法は、移動通信網に接続する移動通信手段とローカルネットワークに接続するローカル通信手段とを備え、移動通信網とローカルネットワークとの間で信号の双方向転送を行う移動通信端末と、他の移動通信端末にローカル接続されたデバイスへの接続を要求する要求元の移動通信端末と当該接続要求されるデバイスとの間で信号の送受信を行う際に相互接続を実現するとともに、少なくとも要求元の移動通信端末の識別情報、接続されるデバイスの識別情報及び要求元の移動通信端末にて利用可能なサービス種別情報を含むデバイスに関する利用情報をデバイス所有の利用者毎に保持したＤＢ保持手段を備えたデバイス相互接続装置とを、含んで構成された通信システムにおける通信制御方法であって、前記デバイス相互接続装置のＤＢ保持手段に、ローカル接続された家庭内のホームデバイスとともにホームネットワークを構築するとともに移動通信網に接続可能とされたホームＧＷ装置又は当該ホームＧＷ装置にローカル接続されたホームデバイスの識別情報が、目的のデバイスに関する利用情報として保持され、且つ、ホームＧＷ装置又は当該ホームＧＷ装置にローカル接続されたホームデバイスから前記ＤＢ保持手段にアクセスが行われた場合、当該ＤＢ保持手段における当該ホームＧＷ装置所有の利用者の情報領域に保持された、移動通信端末及び当該移動通信端末にローカル接続されたデバイスに関する情報に基づいて、当該ホームＧＷ装置又は当該ホームデバイスからサービス起動を行うためのサービス利用インタフェースが生成され、前記ホームＧＷ装置又は前記ホームデバイスから当該サービス提供インタフェースが操作されることにより、前記ホームＧＷ装置又は前記ホームデバイスと、前記移動通信端末又は前記デバイスとの接続が確立されることを特徴とする。
【００３２】
これらの通信制御方法に係る発明により、本来であれば自宅内に閉じていたホームネットワークを、自宅内に存在するホームＧＷ装置と、自宅外に存在する移動通信端末とを結び付けることにより、自宅外の移動通信端末から自宅内のホームＧＷ装置を操作し、また、自宅内のホームＧＷ装置から自宅外の移動通信端末を操作し、ホームネットワークを自宅外まで拡張することができる。また、本来であれば自宅内に存在する利用者しか利用することができなかったホームネットワークを、自宅外に存在する第三者からも操作可能となる。
【００３３】
上記の通信制御方法に係る発明では、以下の構成とすることが望ましい。即ち、請求項１９に記載したように、前記ＤＢ保持手段に、ホームＧＷ装置所有の利用者の情報領域における当該ホームＧＷ装置に関する情報として、当該ホームＧＷ装置へのアクセスを許容する第三者の移動通信端末に関する情報が設定された場合、当該ＤＢ保持手段における当該第三者の移動通信端末の情報領域に、前記ホームＧＷ装置へのアクセスが許容された旨の情報が登録され、当該第三者の移動通信端末又は当該第三者の移動通信端末にローカル接続されたデバイスから前記ＤＢ保持手段へアクセスが行われた場合、当該第三者の移動通信端末又は当該第三者の移動通信端末にローカル接続されたデバイスに、当該ホームＧＷ装置へのリンクメニューが表示され、表示されたリンクメニューが選択されることにより、当該第三者の移動通信端末又は当該第三者の移動通信端末にローカル接続されたデバイスと前記ホームＧＷ装置との間で、接続が確立される、ことが望ましい。
【００３４】
また、請求項２０に記載したように、前記ＤＢ保持手段に、移動通信端末にローカル接続されたデバイスに関し、サービス種別毎に当該デバイスに対する操作を許容する相手装置として前記ホームＧＷ装置が設定された場合、当該ＤＢ保持手段における当該ホームＧＷ装置の情報領域に、当該サービス種別において当該移動通信端末にローカル接続されたデバイスに対する操作が許容された旨の情報が登録され、当該ホームＧＷ装置又は当該ホームＧＷ装置に接続されたホームデバイスから前記ＤＢ保持手段へアクセスが行われた場合、当該ホームＧＷ装置又は当該ホームデバイスに、当該移動通信端末にローカル接続されたデバイスに関する操作メニューが表示され、表示された操作メニューが選択されることにより、当該移動通信端末にローカル接続されたデバイスに対する操作が行われる、ことが望ましい。
【００３５】
更に、請求項２１に記載したように、前記ＤＢ保持手段は、ホームＧＷ装置にローカル接続されたホームデバイスのデバイス識別情報と、当該ホームデバイスと臨時のローカル接続を許容する第三者の移動通信端末の識別情報と、臨時にローカル接続を確立した際に当該ホームデバイスで利用するサービス種別情報とを設定するための設定インタフェースを提供し、利用者により設定された情報を当該ＤＢ保持手段に保持し、当該ホームデバイスとのローカル接続が許容された第三者の移動通信端末の情報領域に、当該ホームデバイスへの臨時のローカル接続が許容された旨の情報と、当該ホームデバイスで利用できるサービス種別情報とが登録され、当該第三者の移動通信端末に、当該ホームデバイス及び当該サービス種別に関する操作メニューが表示され、当該第三者の移動通信端末から、臨時のローカル接続が要求されるホームデバイスの識別情報がデバイス相互接続装置に通知され、当該ホームデバイスの識別情報が、ＤＢ保持手段における当該第三者の移動通信端末の情報領域に予め登録されていた場合、デバイス相互接続装置は当該第三者の移動通信端末へ、当該ホームデバイスを臨時にローカル接続することを許可する旨及び利用することが許容されているサービス種別情報を通知し、当該通知を受信した第三者の移動通信端末は、当該ホームデバイスとの接続を確立するとともに、前記ＤＢ保持手段からの前記操作メニューを表示し、表示された操作メニューが選択されることにより、第三者の移動通信端末は当該ホームデバイスと臨時にローカル接続を行う、ことが望ましい。
【００３６】
ところで、本発明は移動通信端末に係る発明として捉えることもでき、請求項２２〜２４のように記載される。即ち、本発明に係る移動通信端末は、請求項２２に記載したように、移動通信網に接続する移動通信手段とローカルネットワークに接続するローカル通信手段とを備え、移動通信網とローカルネットワークとの間で信号の双方向転送を行う移動通信端末であって、個々のデバイスにユニークに付与されたデバイス識別情報を読み取る識別情報読取手段と、自端末の周辺へのポーリングによる自端末と通信可能なデバイスの検知結果に基づいて、前記識別情報読取手段によって当該デバイスのデバイス識別情報を読み取らせる検知時制御手段と、自端末との間でローカル接続を確立しているデバイスのデバイス識別情報を記憶することで、当該ローカル接続中のデバイスを管理するデバイス管理手段とを備えたことを特徴とする。
【００３７】
この移動通信端末では、自端末の周辺へのポーリングによる自端末と通信可能なデバイスの検知結果に基づいて、識別情報読取手段によって当該デバイスのデバイス識別情報を読み取り、デバイス管理手段によって、自端末との間でローカル接続を確立しているデバイスのデバイス識別情報を記憶することで当該ローカル接続中のデバイスを管理することができる。
【００３８】
このとき、望ましくは、請求項２３に記載したように、移動通信端末は、自端末とデバイスとの接続状態及びデバイスの運転状態を検知する状態検知手段をさらに備え、デバイス管理手段は、状態検知手段によって、ローカル接続されていたデバイスとの接続の切断検知結果に基づいて、記憶されている当該デバイスのデバイス識別情報を消去する構成とすることが望ましい。この場合、移動通信端末とローカル接続されていたデバイスとの接続が切断されたことを迅速に検知し、デバイス管理手段が、記憶されている当該デバイスのデバイス識別情報を消去することで、ローカル接続中のデバイス管理を適正に行うことができる。
【００３９】
また、移動通信端末は、請求項２４に記載したように、外部からの、自端末にローカル接続されたデバイスに対する操作信号に基づいて、当該操作信号の宛先である目的デバイスを判別するデバイス判別手段と、自端末が当該目的デバイスと通信可能であるか否かに基づいて、当該操作信号を当該目的デバイスへ転送するとともに目的デバイスへの操作信号の転送結果を外部へ返信する転送制御手段とをさらに備えた構成とすることが望ましい。これにより、外部装置又は外部のデバイスから目的デバイスへの操作信号の転送を適正に行うことができる。
【００４０】
また、移動通信端末は、請求項２５に記載したように、外部からの、デバイスに関する状態情報要求信号に基づいて、当該状態情報要求信号の対象であるデバイスを判別するデバイス判別手段と、外部からの要求に応じて、前記状態検知手段により、対象のデバイスとの接続状態情報、及び自端末が当該デバイスと接続中の場合は当該デバイスの運転状態情報を、当該デバイスの状態情報として取得する取得制御手段と、取得されたデバイスの状態情報を外部へ返信する情報返信手段とをさらに備えた構成とすることが望ましい。これにより、外部装置又は外部のデバイスから目的デバイスへ状態情報要求信号を適正に転送し、当該目的デバイスの状態情報を適正に返送することができる。
【００４１】
さらに、本発明に係る移動通信端末における端末制御方法は、請求項２６に記載したように、移動通信網に接続する移動通信手段と、ローカルネットワークに接続するローカル通信手段と、個々のデバイスにユニークに付与されたデバイス識別情報を読み取る識別情報読取手段とを備え、移動通信網とローカルネットワークとの間で信号の双方向転送を行う移動通信端末における端末制御方法であって、自端末の周辺にポーリングを行いデバイスを検知した場合、識別情報読取手段が当該デバイスのデバイス識別情報を読み取り、当該デバイスへの当該移動通信端末の接続可否に関する情報を保持したデバイス相互接続装置に対し、当該デバイス識別情報を通知し、当該デバイスと接続可能である旨の通知を前記デバイス相互接続装置から受けた場合、当該デバイスとの接続を確立することを特徴とする。
【００４２】
この端末制御方法によれば、移動通信端末が自端末の周辺にポーリングを行いデバイスを検知した場合、識別情報読取手段が当該デバイスのデバイス識別情報を読み取り、当該デバイスへの当該移動通信端末の接続可否に関する情報を保持したデバイス相互接続装置に対し、当該デバイス識別情報を通知する。そして、移動通信端末は、当該デバイスと接続可能である旨の通知をデバイス相互接続装置から受信すると、当該デバイスとの接続を確立する。これにより、デバイスへの当該移動通信端末の接続可否に関する情報に基づいて、当該移動通信端末は当該デバイスとの接続を適正に確立することができる。
【００４３】
【発明の実施の形態】
以下、本発明に係る実施の形態について詳細に説明する。
【００４４】
図１は、本発明の一実施形態における全体構成図である。この図１に示すように、移動通信事業者が提供する移動通信網１の内部に、本発明による機能を提供する移動通信システム２が存在する。なお、本発明に係る「デバイス相互接続装置」は移動通信システム２に相当する。
【００４５】
移動通信網１には移動通信端末１０Ａ等が収容される。ここで、移動通信網１は、例えばＧＳＭ網、ＰＤＣ網、第三世代移動通信網、移動通信事業者が提供する無線ＬＡＮ網等、あらゆる無線ネットワーク網により構成することができる。また、移動通信端末１０Ａ等は、ローカルネットワークにより、様々なデバイス１０１、１０２等と接続を確立する手段を備える。このときの接続メディアとしては、例えば赤外線、無線ＬＡＮ、ブルートゥース、有線ケーブル等、その種類を問わない。そして、接続メディア上では、例えば、ＵＰｎＰ、ＥＣＨＯＮＥＴ、Ｊｉｎｉ等の情報家電技術による標準プロトコルに則った信号が送受信され、デバイスの種類によらずあらゆるデバイスを接続することが可能とされている。
【００４６】
移動通信システム２は、移動通信端末にローカル接続を行うデバイスを登録する情報登録手段２Ａと、利用者の個人情報、移動通信端末の情報、デバイスの情報、契約サービス情報、ホームＧＷ装置１０００に関する情報等を保持するＤＢ保持手段２Ｂと、当該デバイスで利用するサービスを詳細に設定するインターフェースや、ＤＢ保持手段２Ｂに登録されている情報を反映して利用可能なサービスを表示し起動操作可能とするインターフェース等を提供するＩ／Ｆ提供手段２Ｃと、移動通信端末にローカル接続されたデバイスに対して操作信号を送出する信号送出手段２Ｄと、外部通信装置から移動通信端末にローカル接続されたデバイス宛に送信されてくる操作信号を当該デバイス宛に転送する信号転送手段２Ｅとを備えている。
【００４７】
また、移動通信システム２には外部通信装置（図１では外部通信装置α、β、γ）が例えば専用線やインターネットなどを介して接続され、外部通信装置は、能動的にデバイス宛の操作信号を送出したり、又は、移動通信システム２から受信した操作信号送出依頼に従って操作信号を送出したり、又はデバイスから通知されてくる情報を取得したりすることが可能とされている。
【００４８】
また、移動通信網１に収容される第三者移動通信端末（ここでは移動通信端末１０Ａに対する第三者移動通信端末２０Ａを指す）から、移動通信端末１０Ａにローカル接続されたデバイス１０１、１０２宛への操作信号を送出するよう、移動通信システム２に依頼することができる。結果として、第三者移動通信端末２０Ａから、移動通信端末１０Ａにローカル接続されたデバイス１０１、１０２への操作を行うことが可能となる。
【００４９】
また、移動通信端末１０Ａは、他の移動通信端末３０Ａにローカル接続されたデバイス３０１、又は、公共に公開され誰もがローカル接続を行うことを許容されている公開デバイス００１との間で臨時にローカル接続を確立し、当該デバイスを利用して自らが契約しているサービス提供者からのサービス提供を行うことが可能となる。
【００５０】
また、移動通信端末１０Ａの利用者１０が自宅内に用意しているホームＧＷ装置１０００が、専用線やインターネット等により移動通信網１に接続され、当該ホームＧＷ装置１０００についての情報が、ＤＢ保持手段２Ｂ内の当該利用者１０の情報領域に登録されている場合、移動通信端末１０ＡとホームＧＷ装置１０００との間で専用の接続を確立し、相互に通信を行うことにより、互いが互いを操作することが可能となる。
【００５１】
また、ＤＢ保持手段２Ｂ内のホームＧＷ装置１０００に関する情報の設定によっては、ホームＧＷ装置１０００と第三者移動通信端末２０Ａとの間で専用の接続を確立し、相互に通信を行うことにより、互いが互いを操作することも可能となる。
【００５２】
また、ＤＢ保持手段２Ｂ内のホームＧＷ装置１０００に関する情報の設定によっては、ホームＧＷ装置１０００に接続されるホームデバイス１００１、１００２と、第三者移動通信端末２０Ａとが臨時にローカル接続を確立することも可能となる。
【００５３】
図２は本発明の移動通信端末に具備された機能配置図である。なお、図２では、移動通信端末１０Ａの構成を示しているが、他の移動通信端末２０Ａ、３０Ａ等も同様の構成とされている。
【００５４】
この図２に示すように、移動通信端末１０Ａは、移動通信網１と通信を行うための移動通信手段１１と、デバイス１０１等とのローカルネットワークを構築し互いに通信を行うためのローカル通信手段１３と、移動通信網１から受信したデバイス宛の操作信号について、どのデバイス宛の信号であるかを判別するための信号判別手段１２とを有し、移動通信手段１１によって受信したデバイス宛の操作信号について、その宛先であるデバイスを特定し、ローカル通信手段１３を用いて当該操作信号を当該デバイスへ転送する。また、操作信号転送に対する当該デバイスからの応答信号を受信した場合は、当該応答を移動通信網１を介して移動通信システム２へ通知する。
【００５５】
また、移動通信端末１０Ａは、デバイスをローカル接続する際に用いられるデバイス制御手段１４を有する。個々のデバイスは、デバイス毎にユニークに割り当てられたデバイスＩＤを有しており、そのデバイスＩＤは、例えば二次元バーコードやＲＦ−ＩＤ等の技術によって付与されており、機械的又は電気的な手段を備えたＩＤ−Ｒｅａｄｅｒにより、当該デバイスＩＤを読み取ることが可能である。本発明の移動通信端末１０ＡはデバイスＩＤ読取手段１５を有し、デバイスに付与されているデバイスＩＤを読み取ることができる。
【００５６】
更に、移動通信端末１０Ａはデバイス発見手段１６を有し、自身と通信可能なデバイスが周囲に存在するか定期的にポーリングを行う、又は利用者の操作若しくは移動通信網からの操作信号受信などにより任意のタイミングで周囲のデバイスをサーチする、又はデバイスからの接続要求を受理する、などの方法によって、自身と新たに接続可能な状態にあるデバイスや、接続中だったにもかかわらず接続が切断されたデバイスを発見することができる。
【００５７】
更に、移動通信端末１０ＡはデバイスＩＤ記憶手段１７を有し、自身と接続を確立しているデバイスについて、そのデバイスＩＤを記憶しておき、自身と接続を確立しているデバイスを常に把握することが可能である。
【００５８】
更に、移動通信端末１０Ａはデバイス状態検知手段１８を有し、ＵＰｎＰ、ＥＣＨＯＮＥＴ、Ｊｉｎｉなどの情報家電技術によって定められている信号フォーマット及び命令に則った通信を行うことにより、任意のデバイスについて自身との接続状態を把握したり、又、接続中のデバイスについてその動作状況を問い合わせ、その応答を受信することにより、当該デバイスの動作状況を把握することが可能である。
【００５９】
図３は、本発明の移動通信システム２内のＤＢ保持手段２Ｂにて保持する情報の内容を示したものである。この図３に示すように、ＤＢ保持手段２Ｂには、移動通信事業者と契約を結んでいる利用者ごとに、その個人情報が保存される。
【００６０】
まず、当該利用者が個人的に締結している、デバイス向けサービス提供者との契約サービス情報が、個人情報の直下の独自ディレクトリ以下に保持される。
【００６１】
また、個人情報の直下には、当該利用者の移動通信端末に関する情報が格納される。当該利用者が複数の移動通信端末を契約している場合は、個人情報の直下に別ディレクトリとして２台目、３台目の移動通信端末の情報が格納される。
【００６２】
さらに、移動通信端末情報の直下には、まず、当該移動通信端末にローカル接続するデバイスに関する情報が格納される。デバイス毎のデバイスＩＤ毎にディレクトリが作成され、デバイス毎に、利用サービス情報（即ち、当該デバイスで利用する利用サービス種別情報及び当該サービス種別におけるアクセス許容者（サービスの提供者）に関するアクセス許容者指定情報）、並びに収容許容情報（即ち、当該デバイスを臨時することを許容する相手を指定する収容許容者指定情報及び臨時収容の際に当該デバイスを用いて利用することを許容するサービス種別に関する利用許容サービス種別情報）が格納される。
【００６３】
移動通信端末情報の直下の別ディレクトリには、被アクセス許容デバイス情報が格納される。第三者移動通信端末の情報領域にて、デバイスへのアクセス（サービスの提供）を許容する相手として他者の移動通信端末を登録すると、当該移動通信端末の情報領域にその内容が反映され、許容元である第三者移動通信端末に関する情報、許容されたデバイスの識別情報、そして当該デバイスに対してアクセスを許容されたサービス種別を示す情報が、格納される。
【００６４】
更に、移動通信端末情報の直下の別ディレクトリには、被収容許容デバイス情報が格納される。第三者移動通信端末の情報領域にて、デバイスを臨時収容することを許容する相手として他者の移動通信端末を登録すると、当該移動通信端末の情報領域にその内容が反映され、臨時収容することを許容されたデバイスの識別情報、当該デバイスを臨時収容した際に、そのデバイスを用いて利用することを許容されたサービス種別、さらに、当該サービス種別のうち、自分の契約サービス情報の内に該当するものがあった場合、その契約相手であるサービス提供者を示す情報が一組としてまとめられ、格納される。
【００６５】
一方、個人情報の直下の別ディレクトリには、当該利用者のホームネットワークに関するホームネットワーク情報を格納する。ここには、ホームネットワークを構成するホームＧＷ装置を一意に特定する情報として、例えば当該ホームＧＷ装置のＩＰアドレス等が格納される。
【００６６】
このホームネットワークに関する情報の直下には、当該ホームＧＷ装置へのアクセスを許容する相手を指定する情報として、アクセスを許容する移動通信端末の識別情報を格納する。ここで許容指定の設定なされた第三者移動通信端末の情報領域には、当該ホームＧＷ装置に対して被アクセス許容された旨の内容が反映される。
【００６７】
また、ホームネットワークに関する情報の直下の別ディレクトリには、当該ホームＧＷ装置に接続されるホームデバイスを識別するデバイス識別情報と、当該デバイスを臨時に収容することを許容する相手を指定する情報と、臨時収容した際に当該デバイスで利用することを許容するサービス種別を指定する情報とが格納される。ここで許容指定の設定がなされた第三者移動通信端末の情報領域には、当該デバイスの臨時収容について被収容許容設定がなされた旨の内容が反映される。
【００６８】
さらに、ホームネットワークに関する情報の直下の別ディレクトリには、当該ホームＧＷ装置がアクセスすることを許容されているデバイスに関する情報（被アクセス許容デバイス情報）が反映される。アクセスを許容されたデバイスを収容している移動通信端末の識別情報と、アクセス許容されたデバイスそのものの識別情報と、そのデバイスへのアクセスを許容されたサービス種別情報とが格納される。ここの情報は、第三者移動通信端末の情報領域にて、デバイスへのアクセスを許容する相手として、当該ホームＧＷ装置が設定されたのを契機として、自動的に設定される。
【００６９】
移動通信端末に関する情報ディレクトリ以下の、デバイス登録情報において、当該デバイスへのアクセスを許容する相手として、「全ての移動通信端末」を指定する設定を行った場合、当該デバイスは「公開デバイス」として扱われる。公開デバイスとして登録されたデバイスに関しては、ＤＢ保持手段２Ｂの直下にその情報が格納される。その際、当該デバイスを臨時収容する移動通信端末が、当該デバイスを用いて利用することを許容するサービス種別に関する情報も一緒に格納される。
【００７０】
以下、本発明の実施におけるシステムの構成別に、詳細な動作説明を行う。
【００７１】
図４は、外部通信装置から、移動通信端末１０Ａに接続されたデバイス１０１、１０２までを接続する基本的な構成図である。この図４の構成において、移動通信端末１０Ａの利用者１０は、まず自分がデバイス向けサービス提供者と締結している契約サービス情報を、移動通信システム２に登録する。図５がその処理手順を表すフロー図である。
【００７２】
利用者１０は、例えばＨＴＴＰなどの汎用的なプロトコルを用いて、移動通信端末１０Ａ又は移動通信端末１０Ａにローカル接続されたデバイス１０１、１０２から、移動通信網１を介して、移動通信システム２内の情報登録手段２Ａへアクセスする（図５のＳ０１）。移動通信端末等からの汎用的プロトコルを用いたアクセスを受信した情報登録手段２Ａは、当該移動通信端末等に対して、情報登録インターフェースを提供する。
【００７３】
情報登録インターフェースを受信した当該移動通信端末等は、それを自身が備えるディスプレイ上に表示する。利用者１０は、当該移動通信端末等を操作することにより、ディスプレイ上に表示されたインターフェース上にて、自分が締結している契約サービス情報を入力し（Ｓ０２）、移動通信システム２へその内容を通知する（Ｓ０３）。
【００７４】
当該移動通信端末等からの情報登録通知を受信した移動通信システム２内の情報登録手段２Ａは、まずその通知を行ってきた移動通信端末等の利用者１０の情報領域が、ＤＢ保持手段２Ｂ内に既に存在するか判断を行う（Ｓ０４）。もし情報領域が存在しない場合は、新規に当該利用者１０の情報領域を作成し、当該利用者１０の個人情報を格納する（Ｓ０５）。もし既に情報領域が存在する場合は、格納されている個人情報に、通知されて来た契約サービス情報を関連付け、ＤＢ保持手段２Ｂ内に保存させる（Ｓ０６）。
【００７５】
このようにして移動通信端末１０Ａ又は移動通信端末１０Ａにローカル接続されたデバイス１０１、１０２から、契約サービス情報を登録することにより、当該移動通信端末１０Ａの契約をしている利用者１０を一意に特定でき、当該利用者１０の個人情報を活用することにより、自動的に個人情報と登録情報を関連付けて保存することが可能となる。
【００７６】
図６は、契約サービス情報の登録例である。利用者の情報登録内容に応じて、当該利用者の個人情報の直下に、サービス種別を表すサービス種別情報としてサービスＩＤが、サービス種別ごとのサービス提供契約者情報としてサービス提供者ＩＤが、それぞれ関連付けられて格納される。
【００７７】
サービス種別情報とは、例えば、コンテンツ配信サービス、ファームウェア自動更新サービス、デバイス自動制御サービス、デバイス状態情報提供などが挙げられ、それぞれのサービス種別ごとにユニークなサービスＩＤが予め設定されている。また、サービス提供契約者情報とは、当該利用者がサービス契約を締結しているサービス提供者を指定する情報であり、それぞれのサービス提供者ごとにユニークなサービス提供者ＩＤが予め設定されている。
【００７８】
図７は、移動通信端末にローカル接続するデバイスに関する情報を、移動通信システム２内の情報登録手段２Ａに通知し、新規に登録（ＤＢ保持手段２Ｂ内に保存）させる手順である。
【００７９】
例えば、利用者が新たなデバイスを購入し、そのデバイスを移動通信システム２内に登録するには、移動通信端末に備えられている、例えば「デバイス読取ボタン」等を押下し（図７のＳ１０）、移動通信端末に具備しているデバイスＩＤ読取手段１５（図２参照）を動作させ、目的のデバイスに付与されているデバイスＩＤを読み取る（Ｓ１１）。
【００８０】
すると移動通信端末は、まず、読み取ったデバイスＩＤが自身のデバイスＩＤ記憶手段１７内に記憶されていないか、チェックを行う（Ｓ１２）。ここで既にデバイスＩＤが記憶されていた場合は、当該デバイスＩＤが既に移動通信システム２内のＤＢ保持手段２Ｂに登録済み（この仕組みは後述）であるため、デバイスＩＤの新規登録を中断する。
【００８１】
デバイスＩＤ記憶手段１７に記憶されていない場合は、読み取ったデバイスＩＤを移動通信網１経由で移動通信システム２内の情報登録手段２Ａへ通知する（Ｓ１３）。デバイスＩＤの通知を受けた情報登録手段２Ａは、その通知を行った移動通信端末に関する情報から、利用者を特定し、当該利用者の情報領域がＤＢ保持手段２Ｂ内に既に存在するか確認を行う（Ｓ１４）。もし該当する情報領域が存在しない場合は、新たにＤＢ保持手段２Ｂ内に当該利用者の情報領域を作成する（Ｓ１５）。
【００８２】
当該利用者の情報領域が存在する場合、通知されて来たデバイスＩＤが、既にその情報領域内に存在されているか、チェックを行う（Ｓ１６）。既に当該デバイスＩＤが登録されていた場合は、デバイスＩＤの新規登録を中断する。一方、デバイスＩＤが存在しない場合、当該デバイスＩＤを当該利用者の情報領域に保存し、デバイスＩＤの新規登録が実行される（Ｓ１７）。その後、登録されたデバイスについて、当該デバイスで利用するサービスに関する情報設定がなされる（Ｓ１８；ステップＡ）。
【００８３】
図８は、図７中のステップＡを詳細化したフロー図であり、新規登録されたデバイスについての、利用サービスに関する初期情報設定手順である。移動通信システム２は、新規登録されたデバイスＩＤを、そのデバイスの製造元へ通知し（図８のＳ２１）、そのデバイスで実行可能なサービス種別に関する情報を取得する（Ｓ２２）。取得した実行可能サービス種別に関する情報は、当該デバイスＩＤに関連付けられて保存される。
【００８４】
次いで、実行可能サービス種別に関する情報と、予め利用者によってＤＢ保持手段２Ｂに登録された当該利用者の契約サービス情報とを比較し（Ｓ２３）、当該デバイスでの実行可能サービス種別の中に、当該利用者の契約サービス情報中に登録されているサービス種別が存在する場合、そのサービス種別情報をデバイスＩＤと関連付けて保存する（Ｓ２４）。
【００８５】
その結果生成される情報の事例を、図９に示す。この例では、移動通信端末１０Ａにローカル接続されたデバイス１０１は、サービス種別▲１▼、サービス種別▲２▼、サービス種別▲３▼、サービス種別▲４▼、サービス種別▲５▼等を実行する機能を有しており（図９の破線で囲まれた部分）、その情報が一時的に情報領域に格納される。そして、当該移動通信端末及び当該デバイスの利用者１０は、サービス提供者とサービス種別▲１▼、サービス種別▲２▼、サービス種別（１９）、サービス種別（２０）を契約している（図６参照）。そのため、当該利用者１０のデバイス１０１に関する利用サービス情報として、サービス種別▲１▼とサービス種別▲２▼が抽出され、当該デバイスで利用するサービス種別情報として初期設定される。
【００８６】
以上の手順により、移動通信システム２に登録されたデバイスＩＤについて、当該利用者１０が当該デバイスで利用するサービス種別情報に関する初期情報設定が、自動的に行われる。
【００８７】
図１０は図７におけるＳ１９（ステップＢ）を詳細化したフロー図であり、新規登録されたデバイスについての、デバイス製造元へのユーザ登録に関する手順である。
【００８８】
利用者が移動通信システム２に対してデバイスの新規登録を行う際、移動通信端末の操作等により、当該デバイスに関する製造元へのユーザ登録を、移動通信システム２に依頼することができる。利用者がユーザ登録を希望する場合、デバイスＩＤ通知の信号中に、ユーザ登録要求が含まれる（図１０のＳ３１）。
【００８９】
そのユーザ登録要求を受信した移動通信システム２は、移動通信事業者が保持し、ＤＢ保持手段２Ｂ内にも保存されている当該利用者の個人情報と、当該デバイスＩＤとを括りつけて、デバイスの製造元へのユーザ登録情報を生成し（Ｓ３２）、そのユーザ登録情報を、当該製造元へ通知する（Ｓ３３）。デバイス毎に付与されるデバイスＩＤはユニークなＩＤであるため、簡単に製造元を特定することが可能である。
【００９０】
移動通信システム２からのユーザ登録情報を受信した、当該デバイスの製造元は、ユーザ登録情報を解析し、当該利用者の個人情報及びデバイスＩＤを読み取り、その内容に従ってユーザ登録処理を行い（Ｓ３４）、その結果を移動通信システム２へ返信する（Ｓ３５）。ユーザ登録結果を受信した移動通信システム２は、その結果を当該移動通信端末へ通知する（Ｓ３６）。
【００９１】
以上の手順により、移動通信システム２に通知されたデバイスＩＤについて、当該利用者の個人情報を利用して、当該デバイスに関する製造元へのユーザ登録を自動的に行うことが可能となる。
【００９２】
図１１は、移動通信システム内のＤＢ保持手段２Ｂに登録されたデバイスＩＤについて、利用サービスに関する詳細な設定を行う手順を示す。
【００９３】
利用者は、移動通信端末又は移動通信端末にローカル接続されたデバイスを用いて、ＤＢ保持手段２Ｂ内にある当該利用者の情報領域へ接続を試みる（図１１のＳ４１）。ＤＢ保持手段２Ｂ内に当該利用者の情報領域が存在しない場合（Ｓ４２で否定判定）、サービスの詳細設定は中断される。
【００９４】
当該利用者の情報領域が存在する場合（Ｓ４２で肯定判定の場合）、当該移動通信端末は登録変更Ｉ／Ｆ提供手段２Ｃ１（図４参照）へアクセスを試みる（Ｓ４３）。ＤＢ保持手段２Ｂ内に登録済みのデバイスＩＤが存在しない場合（Ｓ４４で否定判定の場合）は、詳細設定を行う対象が無いため、サービスの詳細設定は中断される。
【００９５】
登録済みのデバイスＩＤが存在する場合（Ｓ４４で肯定判定の場合）、移動通信端末等の画面上に、設定変更インターフェースが表示される。そのインターフェース上には、登録済みのデバイスＩＤと、当該デバイスＩＤについて詳細を設定すべき利用サービス情報、及び収容許容情報に関する詳細設定メニューが表示される。当該利用者は、そのインターフェース上で詳細設定の情報入力を行い（Ｓ４５）、その入力内容を移動通信システムの登録変更Ｉ／Ｆ提供手段２Ｃ１に通知する。その通知を受信した登録変更Ｉ／Ｆ提供手段２Ｃ１は、その内容をＤＢ保持手段２Ｂ内の当該利用者の情報領域に保存する。
【００９６】
そして、当該デバイスで利用するサービス種別ごとに設定する、アクセス許容者指定情報において登録されたサービス提供者（外部通信装置）に対して、当該デバイスに対して当該サービス種別におけるアクセスが許容された旨を通知する。その通知を受けたサービス提供者（外部通信装置）は、その情報を独自の管理し、実際のサービス提供時には、アクセス許可を得ているデバイスに対してのみ、サービス提供のための操作信号を送出する。
【００９７】
また、当該デバイスで利用するサービス種別ごとに設定する、アクセス許容者指定情報において、第三者移動通信端末を指定した場合、若しくは、当該デバイスとの臨時ローカル接続を確立することを許容する相手を指定する収容許容者指定情報において、第三者移動通信端末を指定した場合は、当該第三者移動通信端末の情報領域に、その内容を反映させる。具体的には、アクセス許容されたデバイスと、アクセスを許容されたサービス種別、及び臨時ローカル接続が許容されたデバイスと、臨時ローカル接続時に当該デバイスを用いて利用することを許容されたサービス種別、とに関する内容が、当該第三者移動通信端末の情報領域に反映される（Ｓ４６）。
【００９８】
図１２は、移動通信システム２内のＤＢ保持手段２Ｂに登録されたデバイスＩＤについて、利用サービスに関する詳細な設定を行った情報内容の例である。
【００９９】
利用者１０は自身の情報領域に移動通信端末１０Ａを登録しており、移動通信端末１０Ａにローカル接続するデバイスとしてデバイス１０１、１０２等を登録している。
【０１００】
図１１に記載の手順により、デバイス１０１に関する情報設定を行った結果、利用サービス情報と収容許容情報が設定される。利用サービス情報中の、当該デバイスで利用するサービス種別を指定する利用サービス種別情報としては、サービスＩＤ▲１▼とサービスＩＤ▲２▼が設定されている。
【０１０１】
サービスＩＤ▲１▼については、当該デバイスに対して当該サービスを提供することを許容する相手として、サービス提供者Ｉ及び移動通信端末２０Ａが指定されている。よって、移動通信端末１０Ａにローカル接続されたデバイス１０１に対して、サービス提供者Ｉ及び移動通信端末２０Ａから、サービス種別▲１▼を提供し、当該デバイス１０１に実行させることが可能となる。
【０１０２】
サービスＩＤ▲２▼については、当該デバイスに対して当該サービスを提供することを許容する相手として、サービス提供者ＩＩ及びホームＧＷ装置２０００が指定されている。よって、移動通信端末１０Ａにローカル接続されたデバイス１０１に対して、サービス提供者ＩＩ及びホームＧＷ装置２０００から、サービス種別▲２▼を提供し、当該デバイス１０１に実行させることが可能となる。
【０１０３】
また、収容許容情報中の、当該デバイスを臨時にローカル接続することを許容する相手を指定する収容許容者指定情報として、移動通信端末２０Ａ、移動通信端末３０Ａ及び全移動通信端末が指定されている。
【０１０４】
移動通信端末２０Ａに対しては、当該デバイスを臨時にローカル接続した際、当該デバイスを用いて利用することを許容するサービス種別として、サービスＩＤ▲３▼及びサービスＩＤ▲４▼が指定されている。よって、移動通信端末２０Ａが当該デバイスをローカル接続した際、当該移動通信端末２０Ａの利用者２０が、サービスＩＤ▲３▼又はサービスＩＤ▲４▼が示すサービス種別を契約し、自身の情報領域に登録していた場合には、当該デバイスを用いて当該サービスを実行することが可能である。なお、移動通信端末３０Ａに関しても、同上である。
【０１０５】
また、当該デバイスを臨時にローカル接続することを許容する相手を指定する収容許容者指定情報に「全移動通信端末」を指定した場合、当該移動通信事業者と契約を結んでいる移動通信端末の全てが、当該デバイスを臨時にローカル接続することが可能となる。この場合、当該デバイスは“公開デバイス”として扱われる。公開デバイスに関しても、当該デバイスを臨時にローカル接続した際に、当該デバイスを用いて利用することを許容するサービス種別を設定する。
【０１０６】
そして、移動通信端末にローカル接続されたデバイスに関する情報設定を行った時に、当該デバイスへのアクセス許容者指定情報及び収容許容者指定情報に、第三者移動通信端末を指定した場合、当該第三者移動通信端末の情報領域内の被アクセス許容デバイス情報、及び収容許容デバイス情報に、その内容がリアルタイムに反映される。その様子を表すのが図１３である。
【０１０７】
図１３は利用者２０の情報領域を表しており、移動通信端末２０Ａが登録されている。移動通信端末２０Ａは、図１２において、移動通信端末１０Ａにローカル接続されたデバイス１０１について、サービスＩＤ▲１▼についてアクセス許容されたため、被アクセス許容デバイス情報のデバイス収容装置識別情報に移動通信端末１０Ａが格納され、その直下のデバイス識別情報にデバイスＩＤ１０１が格納され、その直下の利用可能サービス種別情報にサービスＩＤ▲１▼が格納される。
【０１０８】
これらの情報により、利用者２０は、移動通信端末２０Ａから、移動通信端末１０Ａにローカル接続されたデバイス１０１に対して、サービスＩＤ▲１▼が示すサービスを実行させる操作信号を送出することが可能となる。なお、第三者移動通信端末から、移動通信端末にローカル接続されたデバイスに対して操作信号を送出し、サービスを実行させる具体的な実行手順については、後に述べる。
【０１０９】
また、移動通信端末２０Ａは、図１２において、移動通信端末１０Ａにローカル接続されたデバイス１０１について、臨時にローカル接続することを許容され、その際に当該デバイスを用いて、サービスＩＤ▲３▼及びサービスＩＤ▲４▼が示すサービスを利用することを許容されたため、被収容許容デバイス情報のデバイス識別情報にデバイスＩＤ１０１が格納され、その直下の利用被許容サービス種別情報にサービスＩＤ▲３▼及びサービスＩＤ▲４▼が格納される。更に、移動通信端末２０Ａの利用者２０が、サービスＩＤ▲３▼が示すサービス種別についてサービス提供者ＩＸと、サービスＩＤ▲４▼が示すサービス種別についてサービス提供者Ｘと、それぞれ契約を締結し、自身の契約サービス情報として登録していた場合、利用被許容サービス種別情報の直下のアクセス許容者指定情報に、サービス提供者ＩＤ  ＩＸ及びサービス提供者ＩＤ  Ｘが自動的に格納される。
【０１１０】
これらの情報により、利用者２０は、移動通信端末２０Ａによって、移動通信端末にローカル接続されたデバイス１０１を臨時にローカル接続することが可能となり、更に、当該デバイスを用いて、サービスＩＤ▲３▼及びサービスＩＤ▲４▼が示すサービス種別について、サービス提供者ＩＸ及びサービス提供者Ｘからのサービスを享受することが可能となる。なお、第三者移動通信端末によって、移動通信端末にローカル接続されたデバイスを臨時にローカル接続し、当該デバイスにてサービスを実行させる具体的な実行手順については、後に述べる。
【０１１１】
また、図１２において、デバイス１０１は、臨時にローカル接続を許容する相手として、全移動通信端末を指定し、公開デバイスとして扱われる。公開デバイスに関する情報は、図１４に示すように、移動通信システム２のＤＢ保持手段２Ｂの直下にリアルタイムに反映される。公開デバイス情報として、デバイス識別情報が格納され、その直下には利用被許容サービス種別情報が格納される。
【０１１２】
なお、公開デバイスを臨時にローカル接続し、当該デバイスにてサービスを実行させる具体的な実行手順については、後に述べる。
【０１１３】
図１５は、移動通信端末にローカル接続されたデバイスに関する情報を、移動通信システム２のＤＢ保持手段２Ｂに登録済みである場合に、当該デバイスを当該移動通信端末にローカル接続する手順を示す。
【０１１４】
利用者による移動通信端末の操作を契機に（図１５のＳ５１）、又は、移動通信網からの移動通信端末に対する操作信号を契機に（Ｓ５２）、又は、デバイスが自発的にデバイスＩＤを発信している場合、そのデバイスＩＤ信号を移動通信端末が受信したのを契機に（Ｓ５３）、又は移動通信端末がデバイス発見手段を用いて定期的にデバイスＩＤの発見に努め（Ｓ５４）、発見したのを契機に（Ｓ５５）、移動通信端末はデバイスＩＤ読取手段を用いて、デバイスに付与されているデバイスＩＤを読み取る（Ｓ５６）。
【０１１５】
読み取ったデバイスＩＤが、移動通信端末内のデバイスＩＤ記憶手段１７（図２参照）内に記憶済みであった場合（Ｓ５７で肯定判定の場合）は、当該デバイスとの接続が確立中であるため、そのまま接続を継続する。
【０１１６】
一方、読み取ったデバイスＩＤがデバイスＩＤ記憶手段１７内に記憶されていない場合（Ｓ５７で否定判定の場合）、当該デバイスＩＤが、当該移動通信端末の配下に登録されているか、移動通信システム２内のＤＢ保持手段２Ｂへローカル接続要求信号を送出し、問い合わせを行う（Ｓ５８）。当該デバイスＩＤが当該移動通信端末の配下に登録されていなかった場合（Ｓ５９で否定判定の場合）、移動通信システム２は当該移動通信端末にローカル接続非許容通知を行い、その通知を受けた当該移動通信端末は、当該デバイスとのローカル接続確立を中断し（Ｓ６０）、処理を終了する。
【０１１７】
当該デバイスＩＤが当該移動通信端末の配下に登録されていた場合（Ｓ５９で肯定判定の場合）、移動通信システム２は当該移動通信端末にローカル接続要求応答信号を行い、その通知を受けた当該移動通信端末は、当該デバイスとのリンクを確立し、ローカル接続を行う（Ｓ６１）。
【０１１８】
移動通信端末は、ローカル接続を確立したデバイスに関して、当該デバイスのデバイスＩＤを、デバイスＩＤ記憶手段１７に記憶する（Ｓ６２）。そして当該デバイスとのリンク確立状況を常時監視し、リンクが確立している間中はデバイスＩＤ記憶手段１７にてデバイスＩＤを記憶し続ける（Ｓ６３、Ｓ６４）。デバイスＩＤ記憶手段１７にローカル接続を確立済みのデバイスのデバイスＩＤを記憶することによって、移動通信システム２内のＤＢ保持手段２Ｂへの無駄な問い合わせを削減することができる。
【０１１９】
そして、移動通信端末は、ローカル接続済みのデバイスとのリンクが切断されたことを検知すると、当該デバイスのデバイスＩＤをデバイスＩＤ記憶手段１７から消去する（Ｓ６５）。
【０１２０】
以上の手順により、本発明の移動通信端末は、移動通信システム２内のＤＢ保持手段２Ｂの、当該移動通信端末の利用者の情報領域に予め登録済みであるデバイスに関してのみ、ローカル接続を行うことが可能となる。
【０１２１】
いま、図４において、移動通信端末１０Ａはデバイス１０１及びデバイス１０２とローカル接続を確立しているとする。この場合における、外部通信装置又は移動通信システム２からの、移動通信端末にローカル接続されたデバイスに対する操作信号の送信手順について、図１６に基づき詳説する。
【０１２２】
図１６は外部通信装置から移動通信端末にローカル接続されたデバイス宛への操作信号送出の手順を示す。
【０１２３】
事業者は、移動通信システム２に接続する外部通信装置を用意し、当該外部通信装置から、移動通信端末とデバイスとを指定する情報を添付して、操作信号を移動通信システム２宛に送出する（図１６のＳ７１）。
【０１２４】
当該操作信号を受信した移動通信システム２は、当該操作信号の送信元と、宛先である移動通信端末及びデバイスと、当該操作信号のサービス種別とを識別し、ＤＢ保持手段２Ｂ内に保持している当該移動通信端末の利用者の情報領域を参照し（Ｓ７２）、当該デバイスに関する利用サービス情報において、当該サービス種別が設定されており、且つ、アクセス許容者として当該外部通信装置が設定されているか確認を行い（Ｓ７３）、正しく設定がなされていなかった場合は、当該操作信号が無効である旨の通知を送信元の当該外部通信装置へ行い（Ｓ７８）、処理を完了する。
【０１２５】
Ｓ７３で正しく設定がなされていた場合は、移動通信システム２は信号転送手段２Ｅにより当該操作信号を宛先である移動通信端末へ転送する（Ｓ７４）。当該操作信号を受信した移動通信端末は、当該操作信号の宛先であるデバイスを識別し、当該デバイスとのローカル接続が確立しているか、調査を行い（Ｓ７５）、ローカル接続が確立されていなかった場合、移動通信システム２へその旨を通知する（Ｓ７６）。その通知を受信した移動通信システム２は、当該操作信号についての扱いを判断し（Ｓ７７）、再送する場合は、再度、当該操作信号を移動通信端末に対して送信する（Ｓ７４）。
【０１２６】
Ｓ７５で移動通信端末が当該デバイスとローカル接続を確立していた場合、当該操作信号を当該デバイスへ転送し（Ｓ７９）、その処理結果を当該デバイスから受信し（Ｓ８０）、その内容を移動通信システム２へ転送し（Ｓ８１）、それを受信した移動通信システム２は、操作信号に対する応答として、その内容を送信元である外部通信装置へ転送する（Ｓ８２）。
【０１２７】
以上の手順により、本発明は、外部通信装置から移動通信端末にローカル接続されたデバイスへの操作信号の送達を可能とする。
【０１２８】
なお、移動通信システム２には信号送出手段２Ｄが備わっており、外部通信装置の代わりに、移動通信システム２自身が移動通信端末にローカル接続されたデバイス宛の操作信号を送出することも可能である。その場合、移動通信システム２は、予め当該利用者の情報領域を参照し、移動通信システム２自身が宛先であるデバイスに対する当該操作信号の送出を許容されているかチェックを行うため、操作信号送出後に再度、ＤＢ保持手段２Ｂの登録内容を参照することはしない。
【０１２９】
また、移動通信端末がデバイス宛の操作信号を受信した際に、当該デバイスとのローカル接続が確立できない場合、操作信号に含まれる条件設定（操作信号の生成時に、パラメータとして設定）によっては、ローカル接続が確立できない旨を移動通信システム２へ通知する代わりに、当該移動通信端末の信号判別手段１２（図２参照）にて当該操作信号を保持しておき、当該デバイスとのローカル接続が確立でき次第、当該デバイスへ当該操作信号を転送する、という手順を取ることも可能である。
【０１３０】
上記の操作信号の種類としては、デバイスの動作を制御する制御信号、又はデバイスに対してコンテンツを提供し再生させるコンテンツ信号、又はデバイスに保存させるデータを送達するデータ信号、又はデバイスの状態情報の取得を要求する状態情報要求信号とがある。
【０１３１】
制御信号の例としては、予め設定された時刻にデバイスを起動させたり、所定の動作を実行させたりするサービスや、デバイスをリアルタイムにコントロールする遠隔リモコンサービスなどがある。コンテンツ信号の例としては、音楽再生手段を備えたデバイスに対して音楽データを送達し再生させるサービスや、画面表示手段を備えたデバイスに対して画像データや動画データを送達し再生させるサービスなどがある。
【０１３２】
また、データ信号の例としては、デバイスのファームウェアを送達して自動アップデートを行うサービスや、新しいバージョンのウィルス定義ファイルを送達して自動アップデートを行うサービスなどがある。状態情報要求信号の例としては、定期的にデバイスの運転状態の情報を取得してデバイスの利用動向を調査するサービスや、デバイスのヘルスチェックを自動的に行うサービスなどがある。
【０１３３】
図１７は、外部通信装置又は移動通信システム２からの、移動通信装置にローカル接続されたデバイス宛の状態情報要求信号の送出、及び状態情報要求応答の通知に関する手順を示す。
【０１３４】
当該外部通信装置から、移動通信端末とデバイスとを指定する情報を添付して、状態情報要求信号を移動通信システム２宛に送出する（図１７のＳ９１）。当該状態情報要求信号を受信した移動通信システム２は、当該状態情報要求信号の送信元と、宛先である移動通信端末及びデバイスと、当該状態情報要求信号のサービス種別とを識別し、ＤＢ保持手段２Ｂ内に保持している当該移動通信端末の利用者の情報領域を参照し（Ｓ９２）、当該デバイスに関する利用サービス情報において、当該サービス種別が設定されており、且つ、アクセス許容者として当該外部通信装置が設定されているか確認を行い（Ｓ９３）、正しく設定がなされていなかった場合は、当該状態情報要求信号が無効である旨の通知を、送信元である当該外部通信装置へ行い（Ｓ９８）、処理を完了する。
【０１３５】
Ｓ９３で正しく設定がなされていた場合は、移動通信システム２は信号転送手段２Ｅにより当該状態情報要求信号を宛先である移動通信端末へ転送する（Ｓ９４）。当該状態情報要求信号を受信した移動通信端末は、当該状態情報要求信号の宛先であるデバイスを識別し、当該デバイスとのローカル接続が確立しているか、調査を行い（Ｓ９５）、ローカル接続が確立されていなかった場合、移動通信システム２へその旨を通知する（Ｓ９６）。その通知を受信した移動通信システム２は、当該状態情報要求信号についての扱いを判断し（Ｓ９７）、再送する場合は、再度、当該状態情報要求信号を移動通信端末に対して送信する（Ｓ９４）。再送しない場合は、エラー通知を当該外部通信装置に対し行う（Ｓ９８）。
【０１３６】
Ｓ９５で移動通信端末が当該デバイスとローカル接続を確立していた場合、当該状態情報要求信号を当該デバイスへ転送し（Ｓ９９）、状態情報要求応答として当該デバイスからの状態情報を受信し（Ｓ１００）、その内容を移動通信システム２へ転送し（Ｓ１０１）、それを受信した移動通信システム２は、状態情報要求信号に対する応答として、その状態情報を送信元の外部通信装置へ転送する（Ｓ１０２）。
【０１３７】
以上の手順により、本発明は、外部通信装置から移動通信端末にローカル接続されたデバイスへの状態情報要求信号の送達と、移動通信端末にローカル接続されたデバイスに関する状態情報の取得を可能とする。
【０１３８】
なお、移動通信システム２には信号送出手段２Ｄが備わっており、外部通信装置の代わりに、移動通信システム２自身が移動通信端末にローカル接続されたデバイス宛の状態情報要求信号を送出することも可能である。その場合、移動通信システム２は、予め当該利用者の情報領域を参照し、移動通信システム２自身が宛先であるデバイスに対する状態情報要求信号の送出を許容されているかチェックを行うため、状態情報要求信号送出後に再度、ＤＢ保持手段２Ｂの登録内容を参照することはしない。
【０１３９】
図１８は、移動通信端末からのデバイス向けサービスの起動に関する手順を示す。
【０１４０】
移動通信端末１０Ａ又は移動通信端末にローカル接続されたデバイス１０１から、移動通信システム２のサービス利用Ｉ／Ｆ提供手段２Ｃ２（図４参照）へアクセスすると（図１８のＳ１１１）、サービス利用Ｉ／Ｆ提供手段２Ｃ２は、図１２に示すような当該移動通信端末に関する情報領域を参照し、当該移動通信端末に接続されたデバイス、及び当該デバイスに関する利用サービス情報を参照する。サービス利用Ｉ／Ｆ提供手段２Ｃ２は、移動通信端末１０Ａに関する利用サービス情報が、情報領域に予め設定されていた場合（Ｓ１１２で肯定判定の場合）、その情報から、当該移動通信端末にローカル接続する登録がなされているデバイス毎に利用可能なサービス種別の一覧と、それぞれのサービス種別においてサービス起動を要求できる相手の一覧とを判別し、サービス起動要求のための操作メニューを動的に生成する。当該操作メニューは、例えばＷｅｂベースで生成され、ＨＴＴＰなどの汎用プロトコルを用いて、アクセス元である移動通信端末１０Ａ又は移動通信端末にローカル接続されたデバイス１０１に提供される（Ｓ１１３）。
【０１４１】
当該操作メニューを取得した移動通信端末１０Ａ又はデバイス１０１は、自身が備える画面上に当該操作メニューを表示し、利用者に操作メニューの選択及びパラメータ入力を行わせる。ここで、例えば、当該利用者がデバイス１０１用の操作メニューを選択し、実行要求を行った場合、サービス利用Ｉ／Ｆ提供手段２Ｃ２は、その内容を信号送出手段２Ｄへ通知する（Ｓ１１４）。
【０１４２】
その通知を受けた信号送出手段２Ｄは、サービス起動の要求元である移動通信端末と、サービス提供先であるデバイスと、実行要求されたサービス種別と、操作メニュー上で入力したパラメータと、サービス起動の要求先とを判別し、サービス起動要求信号を生成して、サービス起動の要求先である外部通信装置等に当該サービス起動要求信号を送出する（Ｓ１１５）。当該サービス起動要求信号は、信号転送手段２Ｅを介して外部通信装置へ送達され（Ｓ１１６）、当該サービス起動信号を受信した外部通信装置は、その内容を識別し、その内容に則したサービス提供を実行するため、図１６や図１７に示す手順に従って、サービス提供を行う（Ｓ１１７）。
【０１４３】
このようにして、移動通信端末の利用者から、移動通信端末にローカル接続されたデバイスに対するサービス実行を起動することができる。
【０１４４】
なお、移動通信端末にローカル接続されたデバイス宛のサービス起動を要求する相手として、外部通信装置の代わりに、移動通信システム２を指定することも可能である。その場合の手順は、やはり図１８に準ずる。以上が、図４に示すシステムにおいて、外部通信装置又は移動通信システム２と、移動通信端末にローカル接続されたデバイスとの間でのやり取りに関する動作手順である。
【０１４５】
次に、図１９に示すような、移動通信端末１０Ａにローカル接続されたデバイス１０１に対する第三者移動通信端末２０Ａからの操作信号送出に関して、その動作手順を詳説する。図１９では、利用者１０が所有する移動通信端末１０Ａと、移動通信端末１０Ａにローカル接続されたデバイス１０１と、利用者２０が所有する移動通信端末２０Ａと、移動通信端末２０Ａにローカル接続されたデバイス２０１とが存在する。
【０１４６】
ここで図１２を参照すると、移動通信端末１０Ａにローカル接続されたデバイス１０１に関して、サービスＩＤ▲１▼で指定されるサービス種別において、サービス提供を許容する相手を指定するアクセス許容者指定情報において、移動通信端末２０Ａが指定されていることが分かる。その結果、図１３を参照すると、移動通信端末２０Ａに関する被アクセス許容デバイス情報に、移動通信端末１０Ａにローカル接続されたデバイス１０１が格納され、サービスＩＤ▲１▼で指定されるサービス種別において、アクセス許容されていることが分かる。
【０１４７】
よって、移動通信端末２０Ａは、移動通信端末１０Ａにローカル接続されたデバイス１０１に対して、サービスＩＤ▲１▼で指定されるサービス種別について、操作信号を送出することができ、移動通信網１を介した遠隔操作を行うことが可能となる。図２０には、その手順を示す。ここで図２０を用いて当該手順を説明する。
【０１４８】
まず、利用者２０が移動通信端末２０Ａを用いて、移動通信システム２のサービス利用Ｉ／Ｆ提供手段２Ｃ２にアクセスする（図２０のＳ１２１）。移動通信端末２０Ａからのアクセスを受けたサービス利用Ｉ／Ｆ提供手段２Ｃ２は、ＤＢ保持手段２Ｂ内の移動通信端末の情報領域を参照し、移動通信端末２０Ａに関するその他の操作メニュー（移動通信端末２０Ａにローカル接続されたデバイスに関する操作メニュー）と共に、非アクセス許容デバイスに関する操作メニューを提供する（Ｓ１２２）。ここの場合では、移動通信端末１０Ａにローカル接続されたデバイス１０１に対して、サービスＩＤ▲１▼で指定されるサービス種別を実行するための操作メニューが提供される。この操作メニューは、例えばＷｅｂベースで提供され、ＨＴＴＰ等によって移動通信端末２０Ａに送達され、移動通信端末２０Ａの画面上に表示される。
【０１４９】
利用者２０は、移動通信端末２０Ａの画面上に表示された当該操作メニューから、デバイス１０１に関する操作メニューを選択し、必要に応じてパラメータを入力し、そして実行を決定すると、その内容が移動通信システム２のサービス利用Ｉ／Ｆ提供手段２Ｃ２から、信号送出手段へ通知される（Ｓ１２３）。
【０１５０】
その通知を受けた信号送出手段は、サービス起動の要求元である移動通信端末２０Ａと、サービス提供先であるデバイス１０１と、そのデバイス１０１をローカル接続する移動通信端末１０Ａと、実行要求されたサービス種別と、操作メニュー上で入力されたパラメータとをそれぞれ判別し、サービスを起動するための操作信号を生成して、当該操作信号を移動通信端末１０Ａに向けて送出する（Ｓ１２４）。
【０１５１】
当該操作信号を受信した移動通信端末１０Ａは、当該操作信号の宛先であるデバイス１０１を識別し、当該デバイス１０１とのローカル接続が確立しているか、調査を行い（Ｓ１２５）、ローカル接続が確立されていなかった場合、移動通信システム２へその旨を通知する（Ｓ１２６）。その通知を受信した移動通信システム２は、当該操作信号についての扱いを判断し（Ｓ１２７）、再送する場合は、再度、当該操作信号を移動通信端末１０Ａに対して送信する（Ｓ１２８）。再送しない場合は、エラー通知をサービス利用Ｉ／Ｆ提供手段２Ｃ２に対し行う（Ｓ１２９）。
【０１５２】
Ｓ１２５で移動通信端末１０Ａが当該デバイス１０１とローカル接続を確立していた場合、当該操作信号を当該デバイス１０１へ転送し（Ｓ１３０）、その処理結果を当該デバイス１０１から受信し（Ｓ１３１）、その内容を移動通信システム２へ転送し（Ｓ１３２）、それを受信した移動通信システム２は、操作信号に対する応答として、その内容を、送信元の移動通信端末２０Ａがアクセスしているサービス利用Ｉ／Ｆ提供手段２Ｃ２へ転送する（Ｓ１３３）。その内容を受信したサービス利用Ｉ／Ｆ提供手段２Ｃ２は、移動通信端末２０Ａの画面上に、その操作結果を表示する（Ｓ１３４）。
【０１５３】
以上の手順により、本発明は、第三者移動通信端末２０Ａから、移動通信端末１０Ａにローカル接続されたデバイス１０１への操作信号の送達を可能とする。
【０１５４】
なお、移動通信端末１０Ａがデバイス１０１宛の操作信号を受信した際に、当該デバイス１０１とのローカル接続が確立できない場合、操作信号に含まれる条件設定（サービス利用Ｉ／Ｆでのパラメータ入力により設定）によっては、ローカル接続が確立できない旨を移動通信システム２へ通知する代わりに、当該移動通信端末１０Ａの信号判別手段１２（図２参照）にて当該操作信号を保持しておき、当該デバイス１０１とのローカル接続が確立でき次第、当該デバイス１０１へ当該操作信号を転送する、という手順を取ることも可能である。
【０１５５】
本発明により、例えば、移動通信端末２０Ａから、遠隔地に存在する移動通信端末１０Ａにローカル接続されたデバイス１０１を起動させる／停止させるなどのリモコンサービスや、遠隔地に存在する音楽再生手段を備えたデバイスに対して利用者２０の音声データを送達し、再生させるサービスや、遠隔地に存在する移動通信端末にローカル接続されたデバイスの運転状態を把握するサービスなどを実現することが可能となる。
【０１５６】
図２１は、移動通信端末１０Ａにローカル接続されたデバイス１０１を、第三者移動通信端末２０Ａが臨時にローカル接続する場合の構成図である。前述した図１２において、利用者１０は、移動通信端末１０Ａにローカル接続されたデバイス１０１について、収容許容情報を設定し、臨時にローカル接続することを許容する収容許容者指定情報に移動通信端末２０Ａを指定し、更に、デバイス１０１を移動通信端末２０Ａが臨時にローカル接続した際に、当該デバイス１０１を用いて利用することを許容する利用許容サービス種別情報として、サービスＩＤ▲３▼及びサービスＩＤ▲４▼を設定している。
【０１５７】
これらの結果を反映し、図１３において、移動通信端末２０Ａに関する情報領域では、被収容許容デバイス情報としてデバイス１０１が格納され、その直下の利用被許容サービス種別情報にサービスＩＤ▲３▼及びサービスＩＤ▲４▼が格納される。更に、移動通信端末２０Ａの利用者２０が、サービスＩＤ▲３▼が示すサービス種別についてサービス提供者ＩＸと、サービスＩＤ▲４▼が示すサービス種別についてサービス提供者Ｘと、それぞれ契約を締結し、自身の契約サービス情報として登録していた場合、利用被許容サービス種別情報の直下のアクセス許容者指定情報に、サービス提供者ＩＤ  ＩＸ及びサービス提供者ＩＤ  Ｘが、自動的に格納される。
【０１５８】
そして、自身の情報領域の被収容許容デバイス情報に登録されているデバイスに関しては、図２１に示すようなローカル接続構成を取ることができる。
【０１５９】
また、図１２において、デバイス１０１を臨時にローカル接続することを許容する相手として、全移動通信端末を指定する設定がなされているため、デバイス１０１は公開デバイスとして扱われ、図１４に示すように、公開デバイス情報に登録される。
【０１６０】
公開デバイス情報に登録されているデバイスに関しては、図２２に示す公開デバイス１０１のように、デバイス９０１と同様のローカル接続構成を採用することができる。このとき、本発明によるサービスを提供している移動通信事業者の移動通信網１に収容される移動通信端末であれば、どの移動通信端末であっても、公開デバイス１０１を臨時にローカル接続することが可能である。
【０１６１】
以上のような、第三者移動通信端末２０Ａによる他者のデバイス１０１の臨時のローカル接続について、接続を確立し、当該デバイス１０１でサービスを利用するまでの手順は図２３に示すとおりである。
【０１６２】
移動通信端末２０Ａに備えられている“臨時収容ボタン”に相当するボタンを押下し、これから他者デバイス１０１の臨時ローカル接続を行うことを指定する（Ｓ１４１）。そして、当該移動通信端末２０Ａにて他者デバイス１０１のデバイスＩＤを読み取り（Ｓ１４２）、移動通信網を介して、移動通信システム２内のＤＢ保持手段２Ｂへ臨時ローカル接続要求信号として送出する（Ｓ１４３）。
【０１６３】
当該要求信号を受信したＤＢ保持手段２Ｂは、当該要求信号を送信してきた移動通信端末２０Ａの情報領域を参照し、臨時にローカル接続しようとしているデバイス１０１が、当該移動通信端末２０Ａの被収容許容デバイス情報に登録されているか、チェックを行う（Ｓ１４４）。予め登録がなされていた場合は、同じ被収容許容デバイス情報内の利用被許容サービス種別情報、及びアクセス許容者指定情報を参照し、当該移動通信端末が当該デバイスを臨時にローカル接続した際に、当該デバイスを用いて利用することができるサービス種別が存在するか、チェックを行う（Ｓ１４６）。ここで該当するサービス種別が存在しない場合は、ＤＢ保持手段２Ｂは当該移動通信端末に対して臨時ローカル接続が不可である旨を通知する臨時ローカル接続要求応答を送信する（Ｓ１４９）。
【０１６４】
Ｓ１４６で該当するサービス種別が存在した場合は、ＤＢ保持手段２Ｂは当該移動通信端末２０Ａに対して臨時ローカル接続を許容する旨を通知する臨時ローカル接続要求応答を送信する。この通知を受信した当該移動通信端末２０Ａは、当該デバイス１０１とのローカル接続を確立する。また同時に、ＤＢ保持手段２Ｂは、当該移動通信端末２０Ａの情報領域の内容からサービス利用インターフェースを動的に生成し、当該移動通信端末２０Ａに対して提供する（Ｓ１４７）。このサービス利用インターフェースは、例えばＷｅｂベースで生成されＨＴＴＰにより当該移動通信端末２０Ａに提供される。当該移動通信端末の画面上に表示されたサービス利用インターフェース上の操作メニューを操作することにより、当該移動通信端末から、当該デバイスに対するサービス起動を行うことができる（Ｓ１４８）。
【０１６５】
一方、Ｓ１４４で臨時にローカル接続しようとしているデバイス１０１が、当該移動通信端末２０Ａの情報領域の被収容許容デバイス情報に登録されていなかった場合、ＤＢ保持手段２Ｂは、次いで、公開デバイス情報を参照し、当該デバイス１０１が公開デバイスとして登録されているかどうか、チェックを行う（Ｓ１４５）。予め登録がなされていた場合は、公開デバイス情報に格納されている当該公開デバイスに関する利用被許容サービス種別情報と、当該移動通信端末２０Ａの利用者２０の契約サービス情報とを比較し、利用可能なサービス種別が存在した場合のみ（Ｓ１４６で肯定判定の場合のみ）、ＤＢ保持手段２Ｂは当該移動通信端末２０Ａに対して臨時ローカル接続を許容する旨を通知する臨時ローカル接続要求応答を送信する。
【０１６６】
その通知を受信した当該移動通信端末２０Ａは、当該公開デバイスとのローカル接続を確立する。また同時に、ＤＢ保持手段２Ｂは、当該公開デバイスの利用被許容サービス種別情報と、当該移動通信端末２０Ａの利用者２０の契約サービス情報とから、当該移動通信端末２０Ａが当該デバイス１０１を臨時にローカル接続した際に、当該公開デバイスで利用可能なサービス種別を判断し、その情報から、サービス利用インターフェースを動的に生成し、当該移動通信端末２０Ａに対して提供する。このサービス利用インターフェースは、例えばＷｅｂベースで生成されＨＴＴＰにより当該移動通信端末２０Ａに提供される（Ｓ１４７）。当該移動通信端末２０Ａの画面上に表示されたサービス利用インターフェース上の操作メニューを操作することにより、当該移動通信端末２０Ａから、当該公開デバイスに対するサービス起動を行うことができる（Ｓ１４８）。
【０１６７】
また、臨時にローカル接続しようとしているデバイス１０１が、当該移動通信端末２０Ａの情報領域の被収容許容デバイス情報に登録されておらず、又、公開デバイス情報にも登録されていない場合、当該移動通信端末２０Ａは当該デバイス１０１を臨時にローカル接続することを許容されていないため、ＤＢ保持手段２Ｂは、当該移動通信端末２０Ａに対して、臨時ローカル接続が不可である旨を通知する臨時ローカル接続要求応答を送信する。その通知を受信した当該移動通信端末２０Ａは、当該デバイス１０１との臨時のローカル接続確立を中断する（Ｓ１５０）。
【０１６８】
このように本発明により、移動通信端末は、当該移動通信端末の利用者が所有しているデバイス以外の、他者のデバイスに関しても、臨時のローカル接続を確立することが可能であり、且つ、他者のデバイスを用いて、当該利用者がサービス提供者と締結している契約サービスを実行することが可能となる。
【０１６９】
また、本発明により、例えば、音楽配信サービスを締結している移動通信端末の利用者が、音楽再生手段を備えたデバイスを所持せずに友人宅を訪れたとしても、音楽再生手段を備えた友人のデバイスが、当該利用者の移動通信端末に対して臨時ローカル接続を許容していれば、当該利用者は自分の移動通信端末に当該デバイスを臨時にローカル接続して、当該デバイスを用いて音楽配信サービスを享受することが可能である。
【０１７０】
また、例えば、地図配信サービスを締結している移動通信端末の利用者が、画像表示手段を備えたデバイスを所持せずに外出したとしても、画像表示手段を備えたデバイスが街中に設置され（街頭テレビなど）、公開デバイスとして登録されていれば、当該利用者は自分の移動通信端末に当該デバイスを臨時にローカル接続して、当該デバイスを用いて地図配信サービスを享受することが可能である。
【０１７１】
ところで、図２４に示すように、移動通信端末１０Ａの利用者１０が所有し、インターネット等のネットワークに接続されるホームＧＷ装置１０００に関する情報を、移動通信システム２内のＤＢ保持手段２Ｂ内の、当該利用者１０の情報領域に登録すれば、移動通信端末１０Ａから当該ホームＧＷ装置１０００に関する情報を参照し、簡便に当該ホームＧＷ装置１０００へアクセスすることが可能となり、当該ホームＧＷ装置１０００の遠隔操作が可能となり、また、当該ホームＧＷ装置１０００からＤＢ保持手段２Ｂ内の情報領域に格納されている情報を参照し、そこで提供されるサービス利用インターフェースを用いることにより、移動通信端末１０Ａへの操作信号の送出を行うことが可能となり、双方向に操作信号の送出が可能となる。よって本発明により、従来であれば自宅内に限られていたホームネットワークの適用範囲に、自宅外に持ち出した移動通信端末１０Ａの周辺領域（無線ＬＡＮ、赤外線、ブルートゥース等の通信可能範囲）を追加することが可能となる。
【０１７２】
なお、移動通信端末１０Ａは演算処理能力、主記憶装置容量等が劣るため、ローカル接続されたデバイス１０１等に関する情報の保持、及び当該デバイス１０１等に関するサービス利用インターフェースの提供機能については、移動通信システム２内に持たせる構成とし、移動通信端末１０Ａはデバイス１０１等をローカル接続するためのハブに相当する位置付けとしたが、ホームＧＷ装置１０００は演算処理能力、主記憶装置容量等が十分にあるので、ホームＧＷ装置１０００にローカル接続されるホームデバイス１００１等に関する情報の保持、及び当該ホームデバイス１００１等に関するサービス利用インターフェースの提供機能についても、ホームＧＷ装置１０００自体が持つ構成を想定する。
【０１７３】
また、ホームＧＷ装置１０００にローカル接続されるホームデバイス１００１等も、移動通信端末５０Ａに対するデバイスの一種であると位置付けることができるため、移動通信端末５０Ａは直接にホームデバイスをローカル接続することが可能である。
【０１７４】
移動通信システム２内のＤＢ保持手段２Ｂに登録したホームＧＷ装置１０００に関する情報の中に、当該ホームＧＷ装置１０００へのアクセスを許容する第三者移動通信端末（例えば、移動通信端末２０Ａ等）を指定する情報を追加することにより、第三者移動通信端末から当該ホームＧＷ装置１０００にアクセスし、当該ホームＧＷ装置１０００が提供するサービス利用インターフェースを利用することが可能となる。このとき、本発明により、第三者移動通信端末に当該ホームＧＷ装置１０００に関する詳細情報（例えば、ＩＰアドレスなど）を公開することなく、第三者移動通信端末とホームＧＷ装置１０００との間で、専用の通信接続を確立させることができる。
【０１７５】
また、ＤＢ保持手段２Ｂに登録するホームＧＷ装置１０００に関する情報の中に、当該ホームＧＷ装置１０００に接続されたホームデバイス１００１等に関する情報を追加し、当該ホームデバイス１００１等を臨時にローカル接続することを許容する第三者移動通信端末を指定し、且つ、臨時にローカル接続した際に、当該ホームデバイス１００１等を用いて利用することを許容するサービス種別を指定することにより、移動通信端末にローカル接続されたデバイスの場合と同様に、他者の移動通信端末に対して、当該ホームデバイス１００１等を臨時にローカル接続することを可能とする。
【０１７６】
図２５は、移動通信端末の利用者が、ＤＢ保持手段２Ｂ内の自分の情報領域に、自分が所有しているホームＧＷ装置１０００に関する情報（ＩＰアドレスなど）を登録する手順を示す。
【０１７７】
利用者は、例えば移動通信端末などを用いて、移動通信システム２の情報登録手段２Ａにアクセスし、情報登録インターフェースを呼び出す（図２５のＳ１５１）。移動通信端末の画面上に表示された当該情報登録インターフェース上で、ホームＧＷ装置１０００を一意に識別することができる情報（例えばＩＰアドレスなど）を入力し、登録を実行する（Ｓ１５２）。
【０１７８】
当該利用者の情報領域がまだ存在しなければ（Ｓ１５３で否定判定であれば）、当該利用者の個人情報を用いて情報領域を作成し（Ｓ１５４）、当該利用者の情報領域が存在すれば（Ｓ１５３で肯定判定であれば）、その情報領域内に、入力されたホームＧＷ装置１０００に関する情報を格納する（Ｓ１５５）。
【０１７９】
また、図２６は、上記手順によってＤＢ保持手段２Ｂ内の情報領域にホームＧＷ装置１０００に関する情報が格納された例である。ＤＢ保持手段２Ｂに格納されている個人情報の直下に、ホームＧＷ装置１０００に関する情報が格納される。以上により、ホームＧＷ装置１０００に関する初期情報設定が行われる。このとき個人情報の直下には、当該利用者の移動通信端末に関する情報も格納されているため、移動通信システム２は、同利用者が保有している移動通信端末とホームＧＷ装置１０００とを括りつけて把握することが可能となる。
【０１８０】
上記のようなホームＧＷ装置１０００に関する初期情報登録後は、当該ホームＧＷ装置１０００に関する詳細情報の設定を行うことが可能となる。図２７はホームＧＷ装置１０００に関する詳細情報の設定手順を示す。
【０１８１】
利用者が移動通信システム２の設定変更Ｉ／Ｆ提供手段へアクセスする（図２７のＳ１６１）。当該利用者の情報領域が既に存在する場合（Ｓ１６２で肯定判定の場合）、利用者に対して設定変更インターフェースが提供される。そこで、ホームＧＷ装置１０００に関する初期情報設定が存在しない場合（Ｓ１６３で否定判定の場合）、ホームＧＷ装置１０００に関する詳細情報設定は行えない。一方、ホームＧＷ装置１０００に関する初期情報設定が存在する場合（Ｓ１６３で肯定判定の場合）、当該ホームＧＷ装置１０００に関する詳細情報設定のためのメニューが、設定変更インターフェース上に表示され、以下のような設定が可能となる。
【０１８２】
この設定変更インターフェース上では、まず、当該ホームＧＷ装置１０００へのアクセスを許容する第三者移動通信端末を指定する。同一利用者が所有している移動通信端末からは、当該ホームＧＷ装置１０００へ自由にアクセスすることを可能とするが、第三者移動通信端末からの当該ホームＧＷ装置１０００へのアクセスについては、アクセスを許容する相手をＤＢ保持手段２Ｂへ予め登録し、当該ホームＧＷ装置１０００へのアクセス許容者を制限することができる。アクセスを許容された第三者移動通信端末の情報領域には、その内容が反映され、提供されるサービス利用インターフェース上に、当該ホームＧＷ装置１０００へのリンクが表示されるが、当該ホームＧＷ装置１０００に関する詳細な情報（例えばＩＰアドレスなど）は公開しないため、第三者移動通信端末の利用者に対して、当該ホームＧＷ装置１０００の詳細情報を隠蔽することが可能となる。
【０１８３】
また、当該ホームＧＷ装置１０００にローカル接続されるホームデバイスのうち、第三者移動通信端末に対して臨時のローカル接続を許容するものに関するデバイスＩＤの登録を行い、各デバイスごとに、当該デバイスを臨時にローカル接続することを許容する第三者移動通信端末を指定する情報と、当該第三者移動通信端末が当該デバイスを臨時にローカル接続した際に、当該デバイスを用いて利用することを許容するサービス種別を指定する情報とを設定する（Ｓ１６４）。
【０１８４】
以上の設定を行うと、次いで、当該ホームＧＷ装置１０００へのアクセスを許容された第三者移動通信端末、又は当該ホームＧＷ装置１０００にローカル接続されるホームデバイスを臨時にローカル接続することを許容された第三者移動通信端末の情報領域に、その内容が自動的に反映される（Ｓ１６５）。具体的には、アクセス許容されたホームＧＷ装置１０００、及び臨時ローカル接続が許容されたデバイスと、臨時ローカル接続時に当該デバイスを用いて利用することを許容されたサービス種別、とに関する内容が、当該第三者移動通信端末の情報領域に反映される。
【０１８５】
図２８、図２９はＤＢ保持手段２Ｂ内の情報領域にて、ホームＧＷ装置１０００及びホームＧＷ装置１０００にローカル接続されるホームデバイスに関する詳細情報設定を行った例である。
【０１８６】
このうち図２８では、移動通信網及びインターネット等を介して、当該ホームＧＷ装置１０００へアクセスすることを許容する第三者移動通信端末に関する情報が、ホームＧＷ装置１０００に関する情報の直下に格納される。ここで、アクセスを許容する相手として移動通信端末２０Ａが指定されており、その結果、図１３に示すように、移動通信端末２０Ａの情報領域にて、被アクセス許容デバイス情報中のデバイス収容装置識別情報に、当該ホームＧＷ装置１０００に関する情報が自動的に格納される。この情報により、移動通信システム２は、移動通信端末２０ＡがホームＧＷ装置１０００へアクセスすることを許容する。
【０１８７】
また、図２９は、ホームＧＷ装置１０００に接続されるホームデバイスのうち、第三者移動通信端末に対して臨時のローカル接続を許容するホームデバイスの登録、及び当該ホームデバイスにおいて臨時のローカル接続を許容する相手を指定する情報、及び臨時ローカル接続時に当該ホームデバイスを用いて利用することを許容するサービス種別情報を設定した際の、情報格納の例である。
【０１８８】
この例では、ホームＧＷ装置１０００にローカル接続されるホームデバイス１００１について、移動通信端末２０Ａに対し臨時のローカル接続を許容し、臨時ローカル接続時に、当該ホームデバイスを用いて利用することを許容するサービス種別として、サービスＩＤ（１４）及びサービスＩＤ（１５）が指定されている。この結果、図１３に示すように、移動通信端末２０Ａの情報領域にて、被収容許容デバイス情報中のデバイス識別情報に、当該ホームデバイス１００１に関する情報、及び当該デバイスを用いて利用することを許容されているサービス種別に関する情報、及び許容されているサービス種別において、移動通信端末２０Ａの利用者が契約サービス情報として登録してあるものが存在した場合、そのサービス種別におけるサービス提供者に関する情報が自動的に格納される。この情報により、移動通信システム２は、移動通信端末２０Ａが、ホームＧＷ装置１０００にローカル接続されるホームデバイス１００１を臨時にローカル接続することを許容する。
【０１８９】
ところで、図３０は、ホームＧＷ装置１０００がインターネット等と移動通信網を介してアクセスすることを許容された他者のデバイスに関する情報の格納を示す。
【０１９０】
図１２において、移動通信端末１０Ａにローカル接続されたデバイス１０１について、当該デバイス１０１で利用するサービス種別としてサービスＩＤ▲２▼が登録されており、当該サービス種別において、アクセス許容者指定情報（当該サービス種別において、当該デバイスへアクセスすることを許容する相手を指定する情報）としてホームＧＷ装置２０００が登録されている。その結果を受けて、図３０では、ホームＧＷ装置２０００の被アクセス許容デバイス情報中に、デバイス収容装置識別情報として移動通信端末１０Ａが格納され、アクセス許容されたデバイスの識別情報としてデバイスＩＤ１０１が格納され、当該ホームＧＷ装置２０００がインターネット等と移動通信網を介して当該デバイス１０１にアクセスし起動することができるサービス種別を示す利用可能サービス種別情報としてサービスＩＤ▲２▼が格納される。この情報により、移動通信システム２は、ホームＧＷ装置２０００が、移動通信端末１０Ａにローカル接続されたデバイス１０１に対して、サービス種別▲２▼に関するサービス起動を行うことを許容する。
【０１９１】
例えば、デバイス１０１がテキスト表示可能なディスプレイを備え、メッセージングサービスについてのアクセス許容をホームＧＷ装置２０００に対して設定した場合、ホームＧＷ装置２０００はデバイス１０１に対してテキストメッセージを送信し、表示させることができる。
【０１９２】
また、デバイス１０１がホームＧＷ装置２０００に対して、遠隔リモコンサービスについてアクセス許容した場合、ホームＧＷ装置２０００から、デバイス１０１の遠隔操作が可能となる。
【０１９３】
以下、移動通信端末からホームＧＷ装置１０００へのアクセス、及びホームＧＷ装置１０００から移動通信端末に対する操作信号を送出、及び移動通信端末によるホームＧＷ装置１０００にローカル接続されるホームデバイスの臨時ローカル接続について、その処理手順を詳説する。
【０１９４】
図３１は、移動通信端末１０Ａから、当該移動通信端末１０Ａの利用者１０が所有しＤＢ保持手段２Ｂへ登録済みであるホームＧＷ装置１０００へのアクセスに関する手順を示す。
【０１９５】
利用者１０は、移動通信端末１０Ａを用いて、ＤＢ保持手段２Ｂ内の自分の情報領域へアクセスし、サービス利用Ｉ／Ｆ提供手段２Ｃ２からサービス利用インターフェースを呼び出す（図３１のＳ１７１）。その際、サービス利用Ｉ／Ｆ提供手段２Ｃ２は、当該利用者１０の情報領域の登録内容を参照し、ホームＧＷ装置１０００に関する情報を取得して、当該ホームＧＷ装置１０００へのリンクメニューを提供する（Ｓ１７２）。当該利用者１０がそのリンクメニューを選択すると、移動通信システム２は、当該移動通信端末１０Ａと当該ホームＧＷ装置１０００との間にセキュリティが確保された専用の接続を確立させる（Ｓ１７３）。ホームＧＷ装置１０００は、自身にアクセスしてきた装置（ここでは移動通信端末１０Ａ）に対して、自身とローカル接続されるホームデバイス１００１等に関する操作メニューを提供する機能を持っている。よって、この機能を用いて、移動通信端末１０Ａからホームデバイス１００１等を遠隔操作する（Ｓ１７４）。
【０１９６】
以上の手順により、移動通信端末１０Ａから同一利用者のホームＧＷ装置１０００及びホームデバイス１００１等への遠隔操作が可能となる。
【０１９７】
図３２は、図３１とは反対に、ホームＧＷ装置１０００から同一利用者１０が所有している移動通信端末１０Ａ及び当該移動通信端末１０Ａにローカル接続されたデバイス１０１等へのアクセスに関する手順を示す。
【０１９８】
ＤＢ保持手段２Ｂに登録済みのホームＧＷ装置１０００、又はホームＧＷ装置１０００にローカル接続されたホームデバイス１００１等から、移動通信システム２のサービス利用Ｉ／Ｆ提供手段２Ｃ２へアクセスすると、サービス利用Ｉ／Ｆ提供手段２Ｃ２は、図１２に示すような、ＤＢ保持手段２Ｂ内の同一利用者１０の情報領域に格納されている移動通信端末１０Ａに関する情報のうち、当該移動通信端末１０Ａにローカル接続されたデバイスごとに、利用サービス情報中の利用サービス種別情報を抽出し、それぞれのサービス種別に関して当該ホームＧＷ装置１０００から操作信号を送出するための操作メニューを含むサービス利用インターフェースを生成し、アクセス元であるホームＧＷ装置１０００、又はホームデバイス１００１等に提供する（図３２のＳ１８１）。
【０１９９】
アクセス元のホームＧＷ装置１０００が、当該操作メニューから希望のものを選択し、必要に応じてパラメータを入力し、そして実行を決定すると、その内容が移動通信システム２のサービス利用Ｉ／Ｆ提供手段２Ｃ２から、信号送出手段２Ｄへ通知される（Ｓ１８２）。
【０２００】
その通知を受けた信号送出手段２Ｄは、サービス起動の要求元であるホームＧＷ装置１０００と、サービス提供先であるデバイス１０１と、そのデバイス１０１をローカル接続する移動通信端末１０Ａと、実行要求されたサービス種別と、操作メニュー上で入力したパラメータとをそれぞれ判別し、サービスを起動するための操作信号を生成し、信号転送手段２Ｅを介して、宛先である移動通信端末１０Ａに向けて送出する（Ｓ１８３）。
【０２０１】
当該操作信号を受信した移動通信端末１０Ａは、当該操作信号の宛先であるデバイスを識別し、当該デバイスとのローカル接続が確立しているか、調査を行い（Ｓ１８４）、ローカル接続が確立されていなかった場合、移動通信システム２へその旨を通知する（Ｓ１８５）。その通知を受信した移動通信システム２は、当該操作信号についての扱いを判断し（Ｓ１８６）、再送する場合は、再度、当該操作信号を移動通信端末に対して送信する（Ｓ１８７）。再送しない場合は、エラー通知をサービス利用Ｉ／Ｆ提供手段２Ｃ２に対し行う（Ｓ１８８）。
【０２０２】
Ｓ１８４で移動通信端末１０Ａが当該デバイス１０１とローカル接続を確立していた場合、当該操作信号を当該デバイス１０１へ転送し（Ｓ１８９）、その処理結果を当該デバイス１０１から受信し（Ｓ１９０）、その内容を移動通信システム２へ転送し（Ｓ１９１）、それを受信した移動通信システム２は、操作信号に対する応答として、その内容を送信元であるホームＧＷ装置１０００がアクセスしているサービス利用Ｉ／Ｆ提供手段２Ｃ２へ転送する（Ｓ１９２）。その内容を受信したサービス利用Ｉ／Ｆ提供手段２Ｃ２は、ホームＧＷ装置１０００の画面上に、その操作結果を表示する（Ｓ１９３）。
【０２０３】
以上の手順により、本発明は、ホームＧＷ装置１０００又はホームＧＷ装置１０００にローカル接続されたホームデバイス１００１等から、同一利用者１０が所有する移動通信端末１０Ａにローカル接続されたデバイス１０１への操作信号の送達を可能とする。
【０２０４】
なお、移動通信端末１０Ａがデバイス１０１宛の操作信号を受信した際に、当該デバイス１０１とのローカル接続が確立できない場合、操作信号に含まれる条件設定（サービス利用Ｉ／Ｆでのパラメータ入力により設定）によっては、ローカル接続が確立できない旨を移動通信システム２へ通知する代わりに、当該移動通信端末１０Ａの信号判別手段１２（図２参照）にて当該操作信号を保持しておき、当該デバイス１０１とのローカル接続が確立でき次第、当該デバイス１０１へ当該操作信号を転送する、という手順を取ることも可能である。
【０２０５】
図３３は、ホームＧＷ装置１０００から、移動通信端末１０Ａにローカル接続されたデバイス１０１に対するサービスを、サービス提供者に起動させるための手順である。
【０２０６】
ＤＢ保持手段２Ｂに登録済みのホームＧＷ装置１０００、又はホームＧＷ装置１０００にローカル接続されたホームデバイス１００１等から、移動通信システム２のサービス利用Ｉ／Ｆ提供手段２Ｃ２へアクセスすると、サービス利用Ｉ／Ｆ提供手段２Ｃ２は、図１２に示すような、ＤＢ保持手段２Ｂ内の同一利用者１０の情報領域に格納されている移動通信端末１０Ａに関する情報のうち、当該移動通信端末１０Ａにローカル接続されたデバイスごとに、利用サービス情報中の利用サービス種別情報、及びアクセス許容者指定情報を抽出し、それぞれのサービス種別に関してアクセス許容されているサービス提供者に対してサービス起動を依頼するための操作メニューを含むサービス利用インターフェースを生成し、アクセス元であるホームＧＷ装置１０００、又はホームデバイス１００１等に提供する（図３３のＳ２０１）。
【０２０７】
アクセス元であるホームＧＷ装置１０００から、サービス起動依頼のための操作メニューを選択し、必要に応じてパラメータを入力し、そして実行を決定すると、その内容が移動通信システム２のサービス利用Ｉ／Ｆ提供手段２Ｃ２から、信号送出手段２Ｄへ通知される（Ｓ２０２）。その通知を受けた信号送出手段２Ｄは、サービス提供対象である移動通信端末１０Ａと、デバイス１０１と、実行要求されたサービス種別と、操作メニュー上で入力したパラメータと、サービス起動の要求先とをそれぞれ判別し、サービス起動要求信号を生成して、サービス起動の要求先である外部通信装置等に当該サービス起動要求信号を送出する（Ｓ２０３）。
【０２０８】
当該サービス起動要求信号は、信号転送手段２Ｅを介して外部通信装置へ送達され（Ｓ２０４）、当該サービス起動信号を受信した外部通信装置は、その内容を識別し、その内容に則したサービス提供を実行するべく、図１６や図１７に示す手順に従ったサービス提供動作を行う（Ｓ２０５）。
【０２０９】
このようにして、ホームＧＷ装置１０００の利用者から、サービス提供者である外部通信装置に対して、移動通信端末１０Ａにローカル接続されたデバイス１０１へのサービス実行を起動することができる。
【０２１０】
図３４は、第三者移動通信端末２０Ａから他者のホームＧＷ装置１０００にアクセスする手順を示す。
【０２１１】
移動通信端末２０ＡからＤＢ保持手段２Ｂ内の自身の情報領域にアクセスし、サービス利用Ｉ／Ｆ提供手段２Ｃ２からサービス利用インターフェースを呼び出すと（図３４のＳ２１１）、サービス利用Ｉ／Ｆ提供手段２Ｃ２は、利用者２０の情報領域を参照し、被アクセス許容されているホームＧＷ装置１０００に関する情報を取得し、サービス利用インターフェース上に当該ホームＧＷ装置１０００へのリンクメニューを表示する（Ｓ２１２）。この際、サービス利用インターフェース上には、接続可能なホームＧＷ装置１０００を一意に特定するための情報（誰のホームＧＷ装置１０００であるか、など）のみを表示し、当該ホームＧＷ装置１０００に関する詳細情報（例えば、ＩＰアドレスなど）は一切表示しない。よって、本発明により、第三者移動通信端末２０Ａの利用者２０に対して、当該ホームＧＷ装置１０００に関する詳細情報を開示することなく、第三者移動通信端末２０ＡとホームＧＷ装置１０００との間で接続を確立させることができる。
【０２１２】
第三者移動通信端末２０Ａからそのリンクメニューを選択すると、移動通信システム２は、当該第三者移動通信端末２０Ａと当該ホームＧＷ装置１０００との間にセキュリティが確保された専用の接続を確立させる（Ｓ２１３）。ホームＧＷ装置１０００は、自身にアクセスしてきた装置（ここでは第三者移動通信端末２０Ａ）に対して、自身とローカル接続されるホームデバイス１００１等に関する操作メニューを提供する機能を持っている。よって、この機能を用いて、移動通信端末２０Ａからホームデバイス１００１等を遠隔操作する（Ｓ２１４）。
【０２１３】
以上の手順により、第三者移動通信端末２０Ａから他者のホームＧＷ装置１０００及びホームデバイス１００１等への遠隔操作が可能となる。
【０２１４】
図３５は、ホームＧＷ装置２０００、又はホームＧＷ装置２０００にローカル接続されたホームデバイス２００１から、他者の移動通信端末１０Ａにローカル接続されたデバイス１０１に対して操作信号を送出し、遠隔操作を行う手順を示す。移動通信端末１０ＡとホームＧＷ装置２０００の関係については図３０に示す。
【０２１５】
ＤＢ保持手段２Ｂに登録済みのホームＧＷ装置２０００から、移動通信システム２のサービス利用Ｉ／Ｆ提供手段２Ｃ２へアクセスすると（図３５のＳ２２１）、サービス利用Ｉ／Ｆ提供手段２Ｃ２は、ＤＢ保持手段２Ｂ内の利用者２０の情報領域に格納されたホームＧＷ装置２０００に関する被アクセス許容デバイス情報から、当該ホームＧＷ装置２０００からアクセス可能な他者の移動通信端末１０Ａにローカル接続されたデバイス１０１に関する情報を抽出し、その内容を反映した操作メニューを生成し、アクセス元であるホームＧＷ装置２０００に提供する。ここでは、移動通信端末１０Ａにローカル接続されたデバイス１０１に関する操作メニューが提供される。アクセス元のホームＧＷ装置２０００が、当該操作メニューを選択し、必要に応じてパラメータを入力し、そして実行を決定すると、その内容が移動通信システム２のサービス利用Ｉ／Ｆ提供手段２Ｃ２から、信号送出手段２Ｄへ通知される（Ｓ２２２）。
【０２１６】
その通知を受けた信号送出手段２Ｄは、サービス起動の要求元であるホームＧＷ装置２０００と、サービス提供先であるデバイス１０１と、そのデバイス１０１をローカル接続した移動通信端末１０Ａと、実行要求されたサービス種別と、操作メニュー上で入力したパラメータとをそれぞれ判別し、サービスを起動するための操作信号を生成し、信号転送手段２Ｅを介して、宛先である移動通信端末１０Ａに向けて送出する（Ｓ２２３）。
【０２１７】
当該操作信号を受信した移動通信端末１０Ａは、当該操作信号の宛先であるデバイス１０１を識別し、当該デバイス１０１とのローカル接続が確立しているか、調査を行い（Ｓ２２４）、ローカル接続が確立されていなかった場合（Ｓ２２４で否定判定の場合）、移動通信システム２へその旨を通知する（Ｓ２２５）。その通知を受信した移動通信システム２は、当該操作信号についての扱いを判断し（Ｓ２２６）、再送する場合は、再度、当該操作信号を移動通信端末１０Ａに対して送信する（Ｓ２２７）。再送しない場合は、エラー通知をサービス利用Ｉ／Ｆ提供手段２Ｃ２に対し行う（Ｓ２２８）。
【０２１８】
Ｓ２２４で移動通信端末１０Ａが当該デバイス１０１とローカル接続を確立していた場合、当該操作信号を当該デバイス１０１へ転送し（Ｓ２２９）、その処理結果を当該デバイス１０１から受信し（Ｓ２３０）、その内容を移動通信システム２へ転送し（Ｓ２３１）、それを受信した移動通信システム２は、操作信号に対する応答として、その内容を送信元であるホームＧＷ装置２０００がアクセスしているサービス利用Ｉ／Ｆ提供手段２Ｃ２へ転送する（Ｓ２３２）。その内容を受信したサービス利用Ｉ／Ｆ提供手段２Ｃ２は、ホームＧＷ装置２０００の画面上に、その操作結果を表示する（Ｓ２３３）。
【０２１９】
以上の手順により、本発明は、ホームＧＷ装置２０００又はホームＧＷ装置２０００にローカル接続されたホームデバイス２００１から、他者が所有する移動通信端末１０Ａにローカル接続されたデバイス１０１への操作信号の送達を可能とする。
【０２２０】
なお、移動通信端末１０Ａがデバイス１０１宛の操作信号を受信した際に、当該デバイス１０１とのローカル接続が確立できない場合、操作信号に含まれる条件設定（サービス利用Ｉ／Ｆでのパラメータ入力により設定）によっては、ローカル接続が確立できない旨を移動通信システム２へ通知する代わりに、当該移動通信端末１０Ａの信号判別手段１２にて当該操作信号を保持しておき、当該デバイス１０１とのローカル接続が確立でき次第、当該デバイス１０１へ当該操作信号を転送する、という手順を取ることも可能である。
【０２２１】
図３６は、第三者移動通信端末２０Ａによる、他者のホームＧＷ装置１０００に接続されたホームデバイス１００１の臨時収容に関する手順を示す。図１３に示すとおり、移動通信端末２０Ａは、ホームＧＷ装置１０００にローカル接続されたホームデバイス１００１について、被収容許容されているものとする。
【０２２２】
移動通信端末２０Ａに備えられている“臨時収容ボタン”に相当するボタンを押下し、これから他者デバイス１００１の臨時ローカル接続を行うことを指定する（図３６のＳ２４１）。そして、当該移動通信端末２０Ａにて他者デバイス１００１のデバイスＩＤを読み取り（Ｓ２４２）、移動通信網１を介して、移動通信システム２内のＤＢ保持手段２Ｂへ臨時ローカル接続要求信号として送出する（Ｓ２４３）。
【０２２３】
当該要求信号を受信したＤＢ保持手段２Ｂは、当該要求信号を送信してきた移動通信端末２０Ａの情報領域を参照し、臨時にローカル接続しようとしているデバイス１００１が、当該移動通信端末２０Ａの被収容許容デバイス情報に登録されているか、チェックを行う（Ｓ２４４）。予め登録がなされていた場合は、同じ被収容許容デバイス情報内の利用被許容サービス種別情報及びアクセス許容者指定情報を参照し、当該移動通信端末２０Ａが当該デバイス１００１を臨時にローカル接続した際に、当該デバイス１００１を用いて利用可能なサービス種別が存在するか、チェックを行う（Ｓ２４６）。ここで該当するサービス種別が存在しない場合は、ＤＢ保持手段２Ｂは当該移動通信端末２０Ａに対して臨時ローカル接続が不可である旨の臨時ローカル接続要求応答を送信する（Ｓ２４９）。
【０２２４】
Ｓ２４６で該当するサービス種別が存在した場合は、ＤＢ保持手段２Ｂは当該移動通信端末２０Ａに対して臨時ローカル接続を許容する旨の臨時ローカル接続要求応答を送信する。その通知を受信した当該移動通信端末２０Ａは、当該デバイス１００１とのローカル接続を確立する。また同時に、ＤＢ保持手段２Ｂは、当該移動通信端末２０Ａの情報領域の内容からサービス利用インターフェースを動的に生成し、当該移動通信端末２０Ａに対して提供する。このサービス利用インターフェースは、例えばＷｅｂベースで生成されＨＴＴＰにより当該移動通信端末２０Ａに提供される（Ｓ２４７）。当該移動通信端末２０Ａの画面上に表示されたサービス利用インターフェース上の操作メニューを操作することにより、当該移動通信端末２０Ａから、当該デバイスに対するサービス起動を行うことができる（Ｓ２４８）。
【０２２５】
一方、Ｓ２４４で臨時にローカル接続しようとしているデバイス１００１が、当該移動通信端末２０Ａの情報領域の被収容許容デバイス情報に登録されていなかった場合、ＤＢ保持手段２Ｂは、次に公開デバイス情報を参照し、当該デバイス１００１が公開デバイスとして登録されているかどうか、チェックを行う（Ｓ２４５）。予め登録がなされていた場合は、公開デバイス情報に格納されている当該公開デバイス１００１に関する利用被許容サービス種別情報と、当該移動通信端末２０Ａの利用者の契約サービス情報とを比較し、利用可能なサービス種別が存在した場合（Ｓ２４６で肯定判定の場合）のみ、ＤＢ保持手段２Ｂは当該移動通信端末２０Ａに対して臨時ローカル接続を許容する旨の臨時ローカル接続要求応答を送信する。その通知を受信した当該移動通信端末２０Ａは当該公開デバイスとのローカル接続を確立する。また同時に、ＤＢ保持手段２Ｂは、当該公開デバイスの利用被許容サービス種別情報と、当該移動通信端末２０Ａの利用者２０の契約サービス情報とから、当該移動通信端末２０Ａが当該デバイス１００１を臨時にローカル接続した際に、当該公開デバイス１００１で利用可能なサービス種別を判断し、その情報から、サービス利用インターフェースを動的に生成し、当該移動通信端末２０Ａに対して提供する。このサービス利用インターフェースは、例えばＷｅｂベースで生成されＨＴＴＰにより当該移動通信端末２０Ａに提供される（Ｓ２４７）。当該移動通信端末２０Ａの画面上に表示されたサービス利用インターフェース上の操作メニューを操作することにより、当該移動通信端末２０Ａから、当該公開デバイス１００１に対するサービス起動を行うことができる（Ｓ２４８）。
【０２２６】
また、臨時にローカル接続しようとしているデバイス１００１が、当該移動通信端末２０Ａの情報領域の被収容許容デバイス情報に登録されておらず、公開デバイス情報にも登録されていない場合、当該移動通信端末２０Ａは当該デバイス１００１を臨時にローカル接続することを許容されていないため、ＤＢ保持手段２Ｂは、当該移動通信端末２０Ａに対して、臨時ローカル接続が不可である旨の臨時ローカル接続要求応答を送信する。その通知を受信した当該移動通信端末２０Ａは、当該デバイス１００１との臨時のローカル接続確立を中断する（Ｓ２５０）。
【０２２７】
以上までは、ホームＧＷ装置１０００には、移動通信端末２０Ａに対して、自身にローカル接続されるホームデバイス１００１に関するサービス利用インターフェースを提供する手段が備わっている、という前提のもとで実施形態を記述してきた。
【０２２８】
しかし、そのような手段を備えていないホームＧＷ装置１０００については、当該ホームＧＷ装置１０００にローカル接続されたホームデバイス１００１に関する情報を移動通信システム２のＤＢ保持手段２Ｂにて保持し、移動通信端末２０Ａに対して、移動通信システム２のサービス利用Ｉ／Ｆ提供手段２Ｃ２が、サービス利用インターフェースを提供する。
【０２２９】
図３７は、図２９について、ホームＧＷ装置１０００にローカル接続されたホームデバイス１００１に関する利用サービス情報を追加した例であり、図中の破線で囲んだ部分が追加情報に相当する。この例では、ホームＧＷ装置１０００にローカル接続されたホームデバイス１００１について、サービス種別▲１▼に関して移動通信端末２０Ａのアクセスを許容している。すると、図３８にて破線で示すように、移動通信端末２０Ａに関する情報について、被アクセス許容デバイス情報にその内容（ホームデバイス１００１とサービス種別▲１▼の情報）が反映される。これは、図１３に対し情報が追加登録されたものに相当する。
【０２３０】
図３９は、移動通信端末１０Ａから、同一利用者１０が所有しているホームＧＷ装置１０００、及びホームＧＷ装置１０００にローカル接続されたホームデバイス１００１に対する操作信号を送出するための、移動通信システム２のサービス利用Ｉ／Ｆ提供手段２Ｃ２を利用する手順を示す。
【０２３１】
利用者１０が移動通信端末１０Ａを用いて、移動通信システム２のサービス利用Ｉ／Ｆ提供手段２Ｃ２にアクセスすると、ホームＧＷ装置１０００に関する情報の登録内容（図３７）より、ホームＧＷ装置１０００にローカル接続されたホームデバイス１００１に関する操作メニューを含むサービス利用インターフェースが提供される（図３９のＳ２６１）。
【０２３２】
アクセス元の移動通信端末１０Ａが、当該操作メニューから希望のものを選択し、必要に応じてパラメータを入力し、そして実行を決定すると、その内容が移動通信システム２のサービス利用Ｉ／Ｆ提供手段２Ｃ２から、信号送出手段２Ｄへ通知される（Ｓ２６２）。その通知を受けた信号送出手段２Ｄは、サービス起動の要求元である移動通信端末１０Ａと、サービス提供先であるホームデバイス１００１と、そのホームデバイス１００１をローカル接続したホームＧＷ装置１０００と、実行要求されたサービス種別と、操作メニュー上で入力したパラメータとをそれぞれ判別し、サービスを起動するための操作信号を生成し、信号転送手段２Ｅを介して、宛先であるホームＧＷ装置１０００に向けて送出する（Ｓ２６３）。
【０２３３】
当該操作信号を受信したホームＧＷ装置１０００は、当該操作信号を宛先のホームデバイス１００１に転送し（Ｓ２６４）、その応答を受信し当該応答を移動通信システム２へ転送する（Ｓ２６５）。それを受信した移動通信システム２は、操作信号に対する応答として、その内容を操作信号の送信元である移動通信端末１０Ａがアクセスしているサービス利用Ｉ／Ｆ提供手段２Ｃ２へ転送する（Ｓ２６６）。その内容を受信したサービス利用Ｉ／Ｆ提供手段２Ｃ２は、移動通信端末１０Ａの画面上に、その操作結果を表示する（Ｓ２６７）。
【０２３４】
以上の手順により、本発明は、移動通信端末１０Ａ又は移動通信端末１０Ａにローカル接続されたデバイス１０１から、同一利用者１０が所有するホームＧＷ装置１０００にローカル接続されたホームデバイス１００１への操作信号のためのサービス利用インターフェースを提供し、操作信号の送達を可能とする。
【０２３５】
図４０は、第三者移動通信端末２０Ａから、他者１０が所有しているホームＧＷ装置１０００、及びホームＧＷ装置１０００にローカル接続されたホームデバイス１００１に対する操作信号を送出するための、移動通信システム２のサービス利用Ｉ／Ｆ提供手段２Ｃ２を利用する手順を示す。
【０２３６】
まず、利用者２０が移動通信端末２０Ａを用いて、移動通信システム２のサービス利用Ｉ／Ｆ提供手段２Ｃ２にアクセスする（Ｓ２７１）。移動通信端末２０Ａからのアクセスを受けたサービス利用Ｉ／Ｆ提供手段２Ｃ２は、ＤＢ保持手段２Ｂ内の移動通信端末２０Ａの情報領域を参照し、移動通信端末２０Ａに関するその他の操作メニュー（移動通信端末２０Ａにローカル接続されたデバイスに関する操作メニュー）と共に、非アクセス許容デバイスに関する操作メニューを提供する。この場合は、ホームＧＷ装置１０００にローカル接続されたホームデバイス１００１に対して、サービスＩＤ▲１▼で指定されるサービス種別を実行するための操作メニューが提供される。この操作メニューは、例えばＷｅｂベースで提供され、ＨＴＴＰ等によって移動通信端末２０Ａに送達され、移動通信端末２０Ａの画面上に表示される。
【０２３７】
利用者２０は、移動通信端末２０Ａの画面上に表示された当該操作メニューから、ホームデバイス１００１に関する操作メニューを選択し、必要に応じてパラメータを入力し、そして実行を決定すると、その内容が移動通信システム２のサービス利用Ｉ／Ｆ提供手段２Ｃ２から、信号送出手段２Ｄへ通知される（Ｓ２７２）。
【０２３８】
その通知を受けた信号送出手段２Ｄは、サービス起動の要求元である移動通信端末２０Ａと、サービス提供先であるホームデバイス１００１と、そのホームデバイス１００１をローカル接続したホームＧＷ装置１０００と、実行要求されたサービス種別と、操作メニュー上で入力したパラメータとをそれぞれ判別し、サービスを起動するための操作信号を生成して、当該操作信号をホームＧＷ装置１０００に向けて送出する（Ｓ２７３）。
【０２３９】
当該操作信号を受信したホームＧＷ装置１０００は、当該操作信号を宛先のホームデバイス１００１に転送し（Ｓ２７４）、その応答を受信し当該応答を移動通信システム２へ転送する（Ｓ２７５）。それを受信した移動通信システム２は、操作信号に対する応答として、その内容を操作信号の送信元である移動通信端末２０Ａがアクセスしているサービス利用Ｉ／Ｆ提供手段２Ｃ２へ転送する（Ｓ２７６）。その内容を受信したサービス利用Ｉ／Ｆ提供手段２Ｃ２は、移動通信端末２０Ａの画面上に、その操作結果を表示する（Ｓ２７７）。
【０２４０】
以上の手順により、本発明は、第三者移動通信端末２０Ａ、又は第三者移動通信端末２０Ａにローカル接続されたデバイス２０１から、他者１０が所有するホームＧＷ装置１０００にローカル接続されたホームデバイス１００１への操作信号のためのサービス利用インターフェースを提供し、操作信号の送達を可能とする。
【０２４１】
図４１には、本発明のシステム中でやり取りされる各種信号要素のフォーマットを示す。
【０２４２】
図４１（ａ）に示すデバイスＩＤ通知信号は、移動通信端末にローカル接続されたデバイスの、デバイスＩＤを移動通信システムに新規登録する際に用いる信号である。信号の内容としては、デバイスをローカル接続する移動通信端末識別子、ローカル接続対象のデバイスＩＤ、及び新規登録要求が含まれる。また、デバイス登録元への自動ユーザ登録を希望する場合のみ、ユーザ登録要求をオプションで付加する。なお、この信号の応答として、図４１（ｂ）に示すデバイスＩＤ通知応答信号が存在する。
【０２４３】
次に、図４１（ｃ）に示すローカル接続要求信号は、既に移動通信システムへ登録済みのデバイスを移動通信端末へローカル接続する際に、デバイスＩＤを移動通信システムへ通知するための信号である。信号の内容としては、デバイスをローカル接続する移動通信端末識別子、ローカル接続対象のデバイスＩＤ、及び接続要求が含まれる。また、デバイス登録元への自動ユーザ登録を希望する場合のみ、ユーザ登録要求をオプションで付加する。なお、この信号の応答として、図４１（ｄ）に示すローカル接続要求応答信号が存在し、接続要求応答フィールドにて、接続の許容／被許容を指定し、ローカル接続要求信号の送信元である移動通信端末へ通知する。
【０２４４】
次に、図４１（ｅ）に示す操作信号は、移動通信端末、又はホームＧＷ装置にローカル接続されたデバイス、又はホームデバイスへ送出される操作信号である。信号の内容としては、操作信号の送信元識別子（移動通信端末、ホームＧＷ装置、外部通信装置など）、宛先の移動通信端末識別子（又はホームＧＷ装置識別子）、宛先のデバイスＩＤ（又はホームデバイスＩＤ）、サービス種別、オプション（例えば、デバイスとのリンクが確立できない場合、移動通信システムに通知するか、移動通信端末で操作信号を保持するか、などの指定）、及び操作に必要なデータを含む。なお、操作信号に対する応答として、図４１（ｆ）に示す操作結果通知信号が存在し、操作信号を受信したデバイス（ホームデバイス）から、移動通信端末（ホームＧＷ装置）を介して、移動通信システムへ通知される。
【０２４５】
次に、図４１（ｇ）に示す状態情報通知信号は、操作信号において状態情報取得要求がなされた要求元に対して、移動通信端末にローカル接続されたデバイスから、デバイス自身の状態情報（運転中、休止中、故障中、修理中など）を通知する信号である。信号の内容としては、通知元の移動通信端末識別子、通知対象であるデバイスＩＤ、通知先識別子（状態情報取得要求元）、及び状態情報を表すデータを含む。
【０２４６】
次に、図４１（ｈ）に示すサービス起動要求信号は、サービス提供者に対して、デバイス向けサービスの起動を要求する信号である。信号の内容としては、サービス対象デバイスをローカル接続する移動通信端末識別子、サービス対象のデバイスＩＤ、要求先識別子（サービス提供者の識別情報）、サービス種別及びパラメータ、及び起動に必要な各種データなどを含む。
【０２４７】
次に、図４１（ｉ）に示す臨時ローカル接続要求信号は、移動通信端末が他者のデバイスを臨時にローカル接続する際に送出する信号である。信号の内容としては、要求元移動通信端末識別子、臨時接続対象デバイスＩＤ、及び臨時接続要求が含まれる。なお、この信号の応答として、図４１（ｊ）に示す臨時ローカル接続要求応答信号が存在し、臨時接続応答フィールドにて、臨時ローカル接続要求信号の送出元である移動通信端末に対する当該デバイスの臨時ローカル接続の許容／被許容を指定して、通知する。
【０２４８】
なお、上記実施形態のシステム構成としては、以下の変形態様を採用することもできる。例えば、移動通信システム２自体が、デバイスに対する操作信号の送出元となってもよい。また、移動通信端末１０Ａ、２０Ａ等自体が、デバイスに相当する動作を行ってもよく、ホームＧＷ装置１０００自体が、ホームデバイスに相当する動作を行ってもよい。
【０２４９】
【発明の効果】
以上説明したように、本発明によれば、移動通信網を介して、デバイス相互接続装置（又は外部通信装置）と、移動通信端末にローカル接続されたデバイスとの接続を確立し、デバイス相互接続装置（又は外部通信装置）から、当該デバイスに対する随時の遠隔操作を可能とする。
【０２５０】
また、本発明によれば、移動通信端末にローカル接続されたデバイスに対する遠隔操作を許容する相手を、当該移動通信端末の利用者が設定することができる。
【０２５１】
また、本発明によれば、移動通信事業者が保有している移動通信端末の契約情報の一部である当該契約者の個人情報と、当該契約者がＤＢ保持手段に登録したデバイスＩＤに関する情報とを結び付け、その情報を当該デバイスの製造元へ通知することにより、当該デバイスの製造元へのユーザ登録を自動化し、簡便化することができる。
【０２５２】
また、本発明によれば、移動通信端末及び移動通信網を介してデバイスの状態情報を収集し、デバイス相互接続装置（又は外部通信装置）に通知することにより、デバイス相互接続装置（又は外部通信装置）により、当該デバイスの状態情報を随時に把握することができる。
【０２５３】
また、本発明によれば、第三者移動通信端末から、他者の移動通信端末にローカル接続されたデバイスへの遠隔操作を随時に行うことができる。
【０２５４】
また、本発明によれば、移動通信端末は、他者のデバイス又は公開デバイスを臨時にローカル接続し、当該デバイスを用いて、当該移動通信端末の利用者が締結している契約サービス情報に応じてサービス提供を享受することができる。
【０２５５】
また、本発明によれば、本来であれば自宅内に閉じていたホームネットワークを、自宅内に存在するホームＧＷ装置と、自宅外に存在する移動通信端末とを結び付けることにより、自宅外の移動通信端末から自宅内のホームＧＷ装置を操作し、反対に、自宅内のホームＧＷ装置から自宅外の移動通信端末を操作し、ホームネットワークを自宅外まで拡張することができる。
【０２５６】
また、本発明によれば、本来であれば自宅内に存在する利用者しか利用することができなかったホームネットワークを、自宅外に存在する第三者からも操作可能とする。
【図面の簡単な説明】
【図１】デバイス相互接続システムの全体構成図である。
【図２】移動通信端末に具備した機能に関する構成図である。
【図３】ＤＢ保持手段にて保持した情報内容を示す説明図である。
【図４】外部通信装置と移動通信端末にローカル接続されたデバイスとの間の構成図である。
【図５】契約サービス情報の登録手順を示す図である。
【図６】契約サービス情報の保持内容を示す図である。
【図７】ＤＢ保持手段への、移動通信端末にローカル接続されたデバイスに関する情報登録手順を示す図である。
【図８】デバイスでの利用サービス情報の設定手順を示す図である。
【図９】移動通信端末にローカル接続されたデバイスに関する情報の保持内容を示す図である。
【図１０】デバイスの製造元へのユーザ登録手順を示す図である。
【図１１】移動通信端末にローカル接続されたデバイスに関する情報の登録内容設定／変更手順を示す図である。
【図１２】移動通信端末にローカル接続されたデバイスに関する利用サービス情報及び収容許容情報の保持内容を示す図である。
【図１３】移動通信端末にローカル接続されたデバイスに関する被アクセス許容デバイス情報及び被収容許容デバイス情報の保持内容を示す図である。
【図１４】公開デバイスに関する情報の保持内容を示す図である。
【図１５】移動通信端末によるデバイスのローカル接続確立までの手順を示す図である。
【図１６】外部通信装置から、移動通信端末にローカル接続されたデバイスに対する操作信号送達手順を示す図である。
【図１７】移動通信端末にローカル接続されたデバイスから外部通信装置に対する状態情報通知手順を示す図である。
【図１８】移動通信端末から、ローカル接続済みデバイスに対するサービス起動要求手順を示す図である。
【図１９】移動通信端末にローカル接続されたデバイス間の構成図を示す図である。
【図２０】第三者移動通信端末から移動通信端末にローカル接続されたデバイスに対する操作信号送達手順を示す図である。
【図２１】移動通信端末による、第三者移動通信端末にローカル接続されたデバイスの臨時収容に関する構成図である。
【図２２】移動通信端末による公開デバイスの臨時収容に関する構成図である。
【図２３】第三者移動通信端末による、移動通信端末にローカル接続されたデバイスの臨時収容手順を示す図である。
【図２４】ホームＧＷ装置と移動通信端末にローカル接続されたデバイスとの間の構成図である。
【図２５】ホームＧＷ装置に関する情報の登録手順を示す図である。
【図２６】ホームＧＷ装置に関する情報の保持内容を示す図である。
【図２７】ホームＧＷ装置に関する情報の登録内容設定／変更手順を示す図である。
【図２８】ホームＧＷ装置へのサクセス許容者指定情報に関する保持内容を示す図である。
【図２９】ホームＧＷ装置に接続されたホームデバイスに関する臨時収容者指定情報の保持内容を示す図である。
【図３０】ホームＧＷ装置に関する被アクセス許容デバイス情報の保持内容を示す図である。
【図３１】移動通信端末から自ホームＧＷ装置へのアクセス手順を示す図である。
【図３２】自ホームＧＷ装置から移動通信端末にローカル接続されたデバイスへの操作信号送達手順を示す図である。
【図３３】自ホームＧＷ装置から外部通信装置に対する、移動通信端末にローカル接続されたデバイスへの操作信号送達依頼手順を示す図である。
【図３４】第三者移動通信端末から自ホームＧＷ装置へのアクセス手順を示す図である。
【図３５】自ホームＧＷ装置から第三者移動通信端末にローカル接続されたデバイスへの操作信号送達手順を示す図である。
【図３６】第三者移動通信端末による、ホームＧＷ装置にローカル接続されたホームデバイスの臨時収容手順を示す図である。
【図３７】ホームＧＷ装置に接続されたホームデバイスに関する利用サービス情報の追加事例を示す図である。
【図３８】移動通信端末にローカル接続されたデバイスに関する被アクセス許容デバイス情報の追加事例を示す図である。
【図３９】移動通信端末からホームＧＷ装置への操作信号送出手順を示す図である。
【図４０】第三者移動通信端末からホームＧＷ装置への操作信号送出手順を示す図である。
【図４１】各種の信号要素のフォーマットを示す図であり、（ａ）はデバイスＩＤ通知信号のフォーマットを示し、（ｂ）はデバイスＩＤ通知応答信号のフォーマットを示し、（ｃ）はローカル接続要求信号のフォーマットを示し、（ｄ）はローカル接続要求応答信号のフォーマットを示し、（ｅ）は操作信号のフォーマットを示し、（ｆ）は操作結果通知信号のフォーマットを示し、（ｇ）は状態情報通知信号のフォーマットを示し、（ｈ）はサービス起動要求信号のフォーマットを示し、（ｉ）は臨時ローカル接続要求信号のフォーマットを示し、（ｊ）は臨時ローカル接続要求応答信号のフォーマットを示す。
【符号の説明】
１…移動通信網、２…移動通信システム、２Ａ…情報登録手段、２Ｂ…ＤＢ保持手段、２Ｃ…Ｉ／Ｆ提供手段、２Ｃ１…登録変更Ｉ／Ｆ提供手段、２Ｃ２…サービス利用Ｉ／Ｆ提供手段、２Ｄ…信号送出手段、２Ｅ…信号転送手段、１０Ａ、２０Ａ、３０Ａ、５０Ａ…移動通信端末、１１…移動通信手段、１２…信号判別手段、１３…ローカル通信手段、１４…デバイス制御手段、１５…デバイスＩＤ読取手段、１６…デバイス発見手段、１７…デバイスＩＤ記憶手段、１８…デバイス状態検知手段、１０１、１０２、２０１、３０１、９０１…デバイス、１０００、２０００…ホームＧＷ装置、１００１、１００２、２００１…ホームデバイス。
【図１】
2004304623.tif 000003
【図２】
2004304623.tif 000004
【図３】
2004304623.tif 000005
【図４】
2004304623.tif 000006
【図５】
2004304623.tif 000007
【図６】
2004304623.tif 000008
【図７】
2004304623.tif 000009
【図８】
2004304623.tif 000010
【図９】
2004304623.tif 000011
【図１０】
2004304623.tif 000012
【図１１】
2004304623.tif 000013
【図１２】
2004304623.tif 000014
【図１３】
2004304623.tif 000015
【図１４】
2004304623.tif 000016
【図１５】
2004304623.tif 000017
【図１６】
2004304623.tif 000018
【図１７】
2004304623.tif 000019
【図１８】
2004304623.tif 000020
【図１９】
2004304623.tif 000021
【図２０】
2004304623.tif 000022
【図２１】
2004304623.tif 000023
【図２２】
2004304623.tif 000024
【図２３】
2004304623.tif 000025
【図２４】
2004304623.tif 000026
【図２５】
2004304623.tif 000027
【図２６】
2004304623.tif 000028
【図２７】
2004304623.tif 000029
【図２８】
2004304623.tif 000030
【図２９】
2004304623.tif 000031
【図３０】
2004304623.tif 000032
【図３１】
2004304623.tif 000033
【図３２】
2004304623.tif 000034
【図３３】
2004304623.tif 000035
【図３４】
2004304623.tif 000036
【図３５】
2004304623.tif 000037
【図３６】
2004304623.tif 000038
【図３７】
2004304623.tif 000039
【図３８】
2004304623.tif 000040
【図３９】
2004304623.tif 000041
【図４０】
2004304623.tif 000042
【図４１】
2004304623.tif 000043